(57)【要約】本発明は、照明装置において、シャーシに形成された孔部に起因する問題を解消することを目的とする。本発明に係るバックライト装置（照明装置）（１２）は、ＬＥＤ（光源）（１７）と、ＬＥＤ（１７）に接続されたフラットケーブル（平形導体）（２２）と、ＬＥＤ（１７）を収容するとともに孔部（１４ｅ）を有するシャーシ（１４）と、孔部（１４ｅ）を貫く形で配され、フラットケーブル（２２）を通す挿通孔（２４ａ）が形成されるとともにフラットケーブル（２２）と孔部（１４ｅ）との間に介在する保護部（２４）を有するケーブル保護部材（平形導体保護部材）（２３）とを備える。
2012039348.tif 000002
【特許請求の範囲】
【請求項１】
光源と、
前記光源に接続された平形導体と、
前記光源を収容するとともに孔部を有するシャーシと、
前記孔部を貫く形で配され、前記平形導体を通す挿通孔が形成されるとともに前記平形導体と前記孔部との間に介在する保護部を有する平形導体保護部材とを備える照明装置。
【請求項２】
前記平形導体保護部材には、前記平形導体のうち前記シャーシ外に配された部分を前記シャーシ側に押さえる押さえ部が設けられている請求項１記載の照明装置。
【請求項３】
前記平形導体は、一方向に沿って延在する形態とされており、前記押さえ部は、前記平形導体における幅方向についての両側に位置して一対設けられている請求項２記載の照明装置。
【請求項４】
前記保護部の外面には、前記シャーシにおける前記孔部の孔縁に対して対向状をなすフランジ部が張り出して設けられており、前記押さえ部は、前記フランジ部に連なる形態とされる請求項２または請求項３記載の照明装置。
【請求項５】
前記フランジ部は、前記孔部の孔縁に対して前記シャーシ外から当接されており、前記押さえ部は、前記フランジ部とは平面に視て重畳しない位置に配されている請求項４記載の照明装置。
【請求項６】
前記押さえ部は、前記フランジ部との間で前記平形導体を屈曲した状態で押さえるよう配されている請求項５記載の照明装置。
【請求項７】
前記平形導体保護部材には、前記シャーシ外において前記挿通孔と平面に視て重畳するよう配されるとともに、前記挿通孔を通して前記シャーシ外に引き出される前記平形導体に方向性を付与するガイド部が設けられている請求項１から請求項６のいずれか１項に記載の照明装置。
【請求項８】
前記ガイド部は、前記保護部に連なる形態で設けられるとともに、その内面が前記挿通孔の内面に連続している請求項７記載の照明装置。
【請求項９】
前記平形導体における引き出し方向は、鉛直方向に並行するものとされており、前記ガイド部は、前記挿通孔の孔縁と共に引き出し口を構成するとともにその引き出し口が前記鉛直方向の下側を向くよう形成されている請求項７または請求項８記載の照明装置。
【請求項１０】
前記シャーシ内には、前記光源が複数実装された光源基板が収容されており、前記平形導体は、前記光源基板に接続されている請求項１から請求項９のいずれか１項に記載の照明装置。
【請求項１１】
前記平形導体は、互いに並行する複数の導体部を有しており、複数の前記導体部には、異なる前記光源に接続されるものが含まれている請求項１０記載の照明装置。
【請求項１２】
前記光源基板は、前記シャーシ内に複数が並んで配され、その複数の前記光源基板のうち、互いに電気的に接続されたものが１つの光源基板群を構成していて、その前記光源基板群を構成する少なくとも１つの前記光源基板に対して前記平形導体が接続されるものとされており、
前記平形導体は、互いに並行する複数の導体部を有しており、複数の前記導体部には、前記光源基板群を構成する第１の前記光源基板が有する前記光源に接続されるものと、第２の前記光源基板が有する前記光源に接続されるものとが少なくとも含まれている請求項１０または請求項１１記載の照明装置。
【請求項１３】
前記保護部の外面には、前記シャーシにおける前記孔部の孔縁に対して対向状をなすフランジ部が張り出して設けられている請求項１から請求項１２のいずれか１項に記載の照明装置。
【請求項１４】
前記フランジ部は、前記孔部の孔縁に対して前記シャーシ外から当接されている請求項１３記載の照明装置。
【請求項１５】
前記保護部の外面には、前記フランジ部との間で前記シャーシにおける前記孔部の孔縁を挟持可能な保持部が設けられている請求項１３または請求項１４記載の照明装置。
【請求項１６】
前記平形導体保護部材は、前記シャーシに対してその板面に沿う方向にスライドされることで、前記保持部が前記シャーシにおける前記孔部の孔縁から外れる非保持位置と、前記保持部が前記シャーシにおける前記孔部の孔縁に係合する保持位置とに選択的に配されるものとされる請求項１５記載の照明装置。
【請求項１７】
前記保持部は、前記保護部の外面から前記平形導体保護部材におけるスライド方向と交差する方向に向けて突出する形態とされており、
前記シャーシにおける前記孔部の孔縁には、前記孔部に連なるとともに前記非保持位置において前記保持部を通す保持部挿通孔が設けられている請求項１６記載の照明装置。
【請求項１８】
前記フランジ部には、前記非保持位置では前記孔部外に配されるものの、前記保持位置では前記孔部内に進入するとともにその内面に係止することで、前記平形導体保護部材が取り付けに伴うスライド方向とは逆方向に移動するのを規制する抜け止め部が設けられている請求項１６または請求項１７記載の照明装置。
【請求項１９】
前記フランジ部には、切り欠きが形成されることで、前記抜け止め部を有する片持ち状の片部が形成されている請求項１８記載の照明装置。
【請求項２０】
前記平形導体保護部材は、前記シャーシに対してその板面と交差する方向に沿って押し込まれることで、前記シャーシに対して取り付けられるものとされる請求項１５記載の照明装置。
【請求項２１】
前記フランジ部には、前記シャーシ側に向けて突出するとともに弾性変形可能な弾性片が設けられており、この弾性片に前記保持部が設けられている請求項２０記載の照明装置。
【請求項２２】
請求項１から請求項２１のいずれか１項に記載の照明装置と、前記照明装置からの光を利用して表示を行う表示パネルとを備える表示装置。
【請求項２３】
前記表示パネルは、一対の基板間に液晶を封入してなる液晶パネルとされる請求項２２記載の表示装置。
【請求項２４】
請求項２２または請求項２３に記載された表示装置を備えるテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは、自発光しないため、別途に照明装置としてバックライト装置を必要としている。このバックライト装置は、液晶パネルの裏側（表示面とは反対側）に設置されるようになっており、液晶パネル側の面が開口したシャーシと、シャーシ内に収容される光源と、シャーシの内面に沿って配されて光をシャーシの開口部側に反射させる反射シートと、シャーシの開口部に配されて光源が発する光を効率的に液晶パネル側へ放出させるための光学部材（拡散シート等）とを備える。上記したバックライト装置の構成部品のうち、光源として例えばＬＥＤを用いる場合があり、その場合には、シャーシ内にＬＥＤを実装したＬＥＤ基板を収容することになる。
なお、光源としてＬＥＤを用いたバックライト装置の一例として下記特許文献１に記載されたものが知られている。
【先行技術文献】
【特許文献】
【０００３】
【特許文献１】特開２００７−３０５７４２号公報
【０００４】
（発明が解決しようとする課題）
ところで、シャーシ内に収容したＬＥＤ基板に対して電力を供給するには、ＬＥＤ基板に実装したコネクタにＦＦＣなどのフラットケーブルの一端側を接続し、そのフラットケーブルの他端側をシャーシに形成した孔部を通して外部に引き出すようにする場合がある。その場合、仮に孔部の孔縁に鋭利なエッジが生じていると、そのエッジによってフラットケーブルが傷付けられる、といった問題が生じるおそれがあり、また孔部からシャーシ内の光がシャーシ外へと漏れ出す、などの問題が生じるおそれがあった。
【発明の概要】
【０００５】
本発明は上記のような事情に基づいて完成されたものであって、シャーシに形成された孔部に起因する問題を解消することを目的とする。
【０００６】
（課題を解決するための手段）
本発明の照明装置は、光源と、前記光源に接続された平形導体と、前記光源を収容するとともに孔部を有するシャーシと、前記孔部を貫く形で配され、前記平形導体を通す挿通孔が形成されるとともに前記平形導体と前記孔部との間に介在する保護部を有する平形導体保護部材とを備える。
【０００７】
このようにすれば、シャーシの孔部を貫く形で配される平形導体保護部材の保護部には、挿通孔が形成されているので、シャーシ内に収容された光源に接続される平形導体は、この挿通孔を通してシャーシ外に引き出されるようになっている。そして、保護部は、挿通孔に通された平形導体と孔部との間に介在しているので、孔部の孔縁に対して平形導体が直接干渉するのを防ぐことができ、もって平形導体に傷が付くなどの問題を生じ難くすることができる。しかも、保護部に形成された挿通孔は、孔部に比べると開口間口が相対的に小さなものとされるので、シャーシ内における光源からの光がシャーシ外に漏れ出し難くなるとともにシャーシ外の塵埃などがシャーシ内に侵入し難くなる。さらには、仮に接着テープなどを孔部の孔縁に貼り付けるようにして対策した場合に比べると、例えば修理や廃棄に伴って解体作業を行う際の作業性を良好なものとすることができる。
【０００８】
本発明の実施態様として、次の構成が好ましい。
（１）前記平形導体保護部材には、前記平形導体のうち前記シャーシ外に配された部分を前記シャーシ側に押さえる押さえ部が設けられている。このようにすれば、平形導体のうちシャーシ外に配された部分を押さえ部によってシャーシ側に押さえることで弛みが生じ難くなる。
【０００９】
（２）前記平形導体は、一方向に沿って延在する形態とされており、前記押さえ部は、前記平形導体における幅方向についての両側に位置して一対設けられている。このようにすれば、一対の押さえ部により平形導体を幅方向について両側から押さえることができるので、平形導体に弛みが一層生じ難くなる。
【００１０】
（３）前記保護部の外面には、前記シャーシにおける前記孔部の孔縁に対して対向状をなすフランジ部が張り出して設けられており、前記押さえ部は、前記フランジ部に連なる形態とされる。このようにすれば、保護部の外面から張り出すフランジ部が、シャーシにおける孔部の孔縁に対して対向状をなすことで、孔部と保護部との間に生じ得る隙間から光漏れが生じたり、上記隙間に塵埃などが侵入するのを防ぐことができる。そして、このフランジ部に連なる形態で押さえ部を設けるようにしているので、仮に押さえ部を保護部に設けるようにした場合に比べると、例えば押さえ部を保護部から離間した位置に配することが可能となるなど、押さえ部の配置の自由度を高めることができる。
【００１１】
（４）前記フランジ部は、前記孔部の孔縁に対して前記シャーシ外から当接されており、前記押さえ部は、前記フランジ部とは平面に視て重畳しない位置に配されている。このようにすれば、フランジ部を孔部の孔縁に対してシャーシ外から当接させることで、平形導体保護部材の着脱に係る作業性を良好なものとすることができる。一方、挿通孔を通してシャーシ外に配された平形導体は、フランジ部に沿って配される部分を有することになるが、その平形導体をフランジ部とは平面に視て重畳しない位置に配された押さえ部によってフランジ部を介することなくシャーシとの間で挟み込むことができるので、弛みの発生をより効果的に抑制することができる。
【００１２】
（５）前記押さえ部は、前記フランジ部との間で前記平形導体を屈曲した状態で押さえるよう配されている。このようにすれば、押さえ部は、フランジ部との間で平形導体を屈曲した状態で押さえることができるので、平形導体に適切な張力を付与することができ、もって弛みの発生をより確実に抑制することができる。
【００１３】
（６）前記平形導体保護部材には、前記シャーシ外において前記挿通孔と平面に視て重畳するよう配されるとともに、前記挿通孔を通して前記シャーシ外に引き出される前記平形導体に方向性を付与するガイド部が設けられている。このようにすれば、挿通孔を通してシャーシ外に引き出される平形導体に対して、シャーシ外において挿通孔と平面に視て重畳するよう配されるガイド部によって方向性を付与することができるから、平形導体の引き出しに係る作業を容易に行うことができる。しかも、挿通孔と平面に視て重畳するよう配されたガイド部によって挿通孔からの光漏れをより好適に防ぐことができるとともに、外部の塵埃などが挿通孔内に侵入するのをより好適に防ぐことができる。
【００１４】
（７）前記ガイド部は、前記保護部に連なる形態で設けられるとともに、その内面が前記挿通孔の内面に連続している。このようにすれば、ガイド部の内面が挿通孔の内面に連続しているので、両者の内面に沿って平形導体を屈曲させることが可能となり、もって平形導体の引き出しに係る作業性を一層向上させることができる。
【００１５】
（８）前記平形導体における引き出し方向は、鉛直方向に並行するものとされており、前記ガイド部は、前記挿通孔の孔縁と共に引き出し口を構成するとともにその引き出し口が前記鉛直方向の下側を向くよう形成されている。このようにすれば、引き出し口が鉛直方向の下側を向いているので、シャーシ外の塵埃などが引き出し口からより侵入し難いものとなる。また、仮に引き出し口から光が漏れ出した場合でも、その光漏れが使用者に気付かれ難くなる。
【００１６】
（９）前記シャーシ内には、前記光源が複数実装された光源基板が収容されており、前記平形導体は、前記光源基板に接続されている。このようにすれば、光源基板に平形導体を接続することで、光源基板に実装された複数の光源に対して電力を供給することができる。
【００１７】
（１０）前記平形導体は、互いに並行する複数の導体部を有しており、複数の前記導体部には、異なる前記光源に接続されるものが含まれている。このようにすれば、複数の導体部には、異なる光源に接続されるものが含まれているから、各光源における輝度などを、接続された導体部毎に独立して制御することが可能とされる。
【００１８】
（１１）前記光源基板は、前記シャーシ内に複数が並んで配され、その複数の前記光源基板のうち、互いに電気的に接続されたものが１つの光源基板群を構成していて、その前記光源基板群を構成する少なくとも１つの前記光源基板に対して前記平形導体が接続されるものとされており、前記平形導体は、互いに並行する複数の導体部を有しており、複数の前記導体部には、前記光源基板群を構成する第１の前記光源基板が有する前記光源に接続されるものと、第２の前記光源基板が有する前記光源に接続されるものとが少なくとも含まれている。このようにすれば、複数の導体部には、光源基板群を構成する第１の光源基板が有する光源に接続されるものと、第２の光源基板が有する光源に接続されるものとが少なくとも含まれているから、各光源基板が有する光源における輝度などを、接続された導体部毎に独立して制御することが可能とされる。
【００１９】
（１２）前記保護部の外面には、前記シャーシにおける前記孔部の孔縁に対して対向状をなすフランジ部が張り出して設けられている。このようにすれば、保護部の外面から張り出すフランジ部が、シャーシにおける孔部の孔縁に対して対向状をなすことで、孔部と保護部との間に生じ得る隙間から光漏れが生じたり、上記隙間に塵埃などが侵入するのを防ぐことができる。
【００２０】
（１３）前記フランジ部は、前記孔部の孔縁に対して前記シャーシ外から当接されている。このようにすれば、フランジ部を孔部の孔縁に対してシャーシ外から当接させることで、平形導体保護部材の着脱に係る作業性を良好なものとすることができる。
【００２１】
（１４）前記保護部の外面には、前記フランジ部との間で前記シャーシにおける前記孔部の孔縁を挟持可能な保持部が設けられている。このようにすれば、保持部とフランジ部との間でシャーシにおける孔部の孔縁を挟持させることで、平形導体保護部材をシャーシに対して取り付け状態に保持させることができる。
【００２２】
（１５）前記平形導体保護部材は、前記シャーシに対してその板面に沿う方向にスライドされることで、前記保持部が前記シャーシにおける前記孔部の孔縁から外れる非保持位置と、前記保持部が前記シャーシにおける前記孔部の孔縁に係合する保持位置とに選択的に配されるものとされる。このようにすれば、非保持位置とした平形導体保護部材をシャーシの板面に沿う方向にスライドさせて保持位置に達すると、保持部がシャーシにおける孔部の孔縁に係合されるとともにフランジ部との間で孔部の孔縁を挟持することで、平形導体保護部材をシャーシに対して取り付け状態に保持させることができる。保持位置とした平形導体保護部材をシャーシから取り外す場合には、取り付け時とは逆方向に平形導体保護部材をスライドさせて非保持位置とすることで、シャーシからの取り外しが可能となる。このように、平形導体保護部材の着脱に係る作業性に優れる。
【００２３】
（１６）前記保持部は、前記保護部の外面から前記平形導体保護部材におけるスライド方向と交差する方向に向けて突出する形態とされており、前記シャーシにおける前記孔部の孔縁には、前記孔部に連なるとともに前記非保持位置において前記保持部を通す保持部挿通孔が設けられている。このようにすれば、非保持位置では、保持部挿通孔に保持部が通されるのに対し、保持位置では、保持部が保持部挿通孔から外れて孔部の孔縁に係合される。仮に保持部を保護部の外面から平形導体保護部材のスライド方向に向けて突出する形態とした場合に比べると、保護部における保持部の配置や設置数などの自由度が高いものとなる。
【００２４】
（１７）前記フランジ部には、前記非保持位置では前記孔部外に配されるものの、前記保持位置では前記孔部内に進入するとともにその内面に係止することで、前記平形導体保護部材が取り付けに伴うスライド方向とは逆方向に移動するのを規制する抜け止め部が設けられている。このようにすれば、平形導体保護部材が非保持位置から保持位置へとスライドされると、抜け止め部が孔部内に進入してその内面に係止することで、保持位置に達した平形導体保護部材が取り付けに伴うスライド方向とは逆方向に移動するのが規制される。これにより、平形導体保護部材の抜け止めを図ることができる。
【００２５】
（１８）前記フランジ部には、切り欠きが形成されることで、前記抜け止め部を有する片持ち状の片部が形成されている。このようにすれば、平形導体保護部材が非保持位置とされた状態では、抜け止め部が孔部外に配されることになるが、その抜け止め部を有する片部は、片持ち状をなしているので、孔部外に配された抜け止め部がシャーシに当接されるのに伴って弾性変形されるようになっている。そして、平形導体保護部材が保持位置までスライドされると、片部が弾性復帰するとともに抜け止め部が孔部内に進入してその内面に係止されることで、抜け止めが図られる。
【００２６】
（１９）前記平形導体保護部材は、前記シャーシに対してその板面と交差する方向に沿って押し込まれることで、前記シャーシに対して取り付けられるものとされる。このようにすれば、平形導体保護部材をシャーシに対してその板面と交差する方向に沿って押し込むと、フランジ部と保持部との間で孔部の孔縁が挟持されることで、平形導体保護部材をシャーシに対して取り付け状態に保持させることができる。ここで、仮に平形導体保護部材をシャーシの板面に沿う方向にスライドさせることでシャーシに対して取り付けるようにした場合には、孔部を保護部の外形よりも大きくする必要があるものの、上記した構成によればそのような必要がなく、孔部を相対的に小さく保つことができるとともに光漏れ防止及び塵埃などの侵入防止に好適となる。
【００２７】
（２０）前記フランジ部には、前記シャーシ側に向けて突出するとともに弾性変形可能な弾性片が設けられており、この弾性片に前記保持部が設けられている。このようにすれば、シャーシに対して平形導体保護部材を着脱する際には、弾性片を弾性変形させることで、孔部に保持部を通し易くなる。これにより、シャーシに対する平形導体保護部材の着脱に係る作業性に優れる。
【００２８】
次に、上記課題を解決するために、本発明の表示装置は、上記記載の照明装置と、前記照明装置からの光を利用して表示を行う表示パネルとを備える。
【００２９】
このような表示装置によると、表示パネルに対して光を供給する照明装置が、シャーシに形成された孔部に起因する問題を解消することができるものであるから、例えば表示信頼性や表示品質を向上させることができる。
【００３０】
前記表示パネルとしては液晶パネルを例示することができる。このような表示装置は液晶表示装置として、種々の用途、例えばテレビやパソコンのディスプレイ等に適用でき、特に大型画面用として好適である。
【００３１】
（発明の効果）
本発明によれば、シャーシに形成された孔部に起因する問題を解消することができる。
【図面の簡単な説明】
【００３２】
【図１】本発明の実施形態１に係るテレビ受信装置の概略構成を示す分解斜視図
【図２】テレビ受信装置が備える液晶表示装置の概略構成を示す分解斜視図
【図３】液晶表示装置が備えるシャーシにおけるＬＥＤ、ＬＥＤ基板、反射シート、基板保持部材の配置構成を示す平面図
【図４】液晶表示装置の短辺方向に沿う断面構成を示す断面図
【図５】液晶表示装置の長辺方向に沿う断面構成を示す断面図
【図６】液晶表示装置が備えるシャーシにおけるフラットケーブル、ケーブル保護部材、ＬＥＤ駆動基板の配置構成を示す底面図
【図７】フラットケーブルを接続したＬＥＤ基板の拡大平面図
【図８】液晶表示装置の短辺方向に沿う断面構成を示すものであって、フラットケーブル及びケーブル保護部材を拡大した断面図
【図９】シャーシのうち、フラットケーブル及びケーブル保護部材を拡大した底面図
【図１０】ケーブル保護部材の平面図
【図１１】ケーブル保護部材の底面図
【図１２】シャーシにおける孔部を拡大した平面図
【図１３】各保持部を各保持部挿通孔に整合させた状態のケーブル保護部材と孔部との配置関係を示す平面図
【図１４】シャーシにケーブル保護部材を取り付ける前の状態を示す図１３のxiv-xiv線断面図
【図１５】シャーシにケーブル保護部材を取り付ける前の状態を示す図１３のxv-xv線断面図
【図１６】シャーシに対してケーブル保護部材を非保持位置に配した状態を示す図１３のxiv-xiv線断面図
【図１７】シャーシに対してケーブル保護部材を非保持位置に配した状態を示す図１３のxv-xv線断面図
【図１８】ケーブル保護部材を保持位置とした状態を示す平面図
【図１９】図１８のxix-xix線断面図
【図２０】図１８のxx-xx線断面図
【図２１】本発明の実施形態２に係る液晶表示装置の短辺方向に沿う断面構成を示すものであって、フラットケーブル及びケーブル保護部材を拡大した断面図
【図２２】ケーブル保護部材をシャーシに取り付けた状態を示す平面図
【図２３】本発明の実施形態３に係る液晶表示装置の短辺方向に沿う断面構成を示すものであって、フラットケーブル及びケーブル保護部材を拡大した断面図
【図２４】ケーブル保護部材をシャーシに取り付けた状態を示す平面図
【図２５】本発明の実施形態４に係る液晶表示装置が備えるシャーシにおけるフラットケーブル、ケーブル保護部材、ＬＥＤ駆動基板の配置構成を示す底面図
【図２６】液晶表示装置の短辺方向に沿う断面構成を示すものであって、フラットケーブル及びケーブル保護部材を拡大した断面図
【図２７】本発明の実施形態５に係る液晶表示装置が備えるシャーシにおけるＬＥＤ、ＬＥＤ基板、反射シート、基板保持部材の配置構成を示す平面図
【図２８】液晶表示装置が備えるシャーシにおけるフラットケーブル、ケーブル保護部材、ＬＥＤ駆動基板の配置構成を示す底面図
【図２９】本発明の実施形態６に係る液晶表示装置が備えるシャーシにおけるＬＥＤ、拡散レンズ、ＬＥＤ基板、反射シート、基板保持部材の配置構成を示す平面図
【図３０】液晶表示装置の短辺方向に沿う断面構成を示すものであって、フラットケーブル及びケーブル保護部材を拡大した断面図
【発明を実施するための形態】
【００３３】
＜実施形態１＞
本発明の実施形態１を図１から図２０によって説明する。本実施形態では、液晶表示装置１０について例示する。なお、各図面の一部にはＸ軸、Ｙ軸及びＺ軸を示しており、各軸方向が各図面で示した方向となるように描かれている。このうちＹ軸方向は、鉛直方向と一致し、Ｘ軸方向は、水平方向と一致している。また、特に断りがない限りは、上下の記載については鉛直方向を基準とする。また、図４及び図５に示す上側を表側とし、図４及び図５に示す下側を裏側とする。
【００３４】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴとを備えて構成される。液晶表示装置（表示装置）１０は、全体として横長の方形（矩形状、長手状）をなし、縦置き状態で収容されている。なお、当該テレビ受信装置ＴＶは、後述するスタンド（支持部材）２６によって液晶表示装置１０の表示面を鉛直方向（Ｙ軸方向）に沿わせた状態で支持されている。また、上記したキャビネットＣａ，Ｃｂのうち、裏側に配されるキャビネットＣａ，Ｃｂには、放熱を図るための放熱孔Ｈが所定の位置に開口して設けられている（図４及び図５参照）。
なお、本実施形態に言う「液晶表示装置１０の表示面が鉛直方向に沿う」とは、液晶表示装置１０の表示面が鉛直方向に平行となる態様に限定されず、水平方向に沿う方向よりも相対的に鉛直方向に沿う方向に設置されたものを意味し、例えば鉛直方向に対して０°〜４５°、好ましくは０°〜３０°傾いたものを含むことを意味するものである。
【００３５】
次に、液晶表示装置１０を構成する液晶パネル１１及びバックライト装置１２について順次に説明する。このうち、液晶パネル（表示パネル）１１は、平面に視て横長な方形状をなしており、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板が配されている。
【００３６】
続いて、バックライト装置１２について詳しく説明する。バックライト装置１２は、図２に示すように、光出射面側（液晶パネル１１側）に開口部１４ｂを有した略箱型をなすシャーシ１４と、シャーシ１４の開口部１４ｂを覆うようにして配される光学部材１５と、シャーシ１４の外縁部に沿って配され光学部材１５群の外縁部をシャーシ１４との間で挟んで保持するフレーム１６とを備える。さらに、シャーシ１４内には、光源であるＬＥＤ１７（Light Emitting Diode：発光ダイオード）と、複数のＬＥＤ１７が実装されたＬＥＤ基板（光源基板）１８と、ＬＥＤ基板１８をシャーシ１４との間で保持することが可能な基板保持部材１９と、シャーシ１４内の光を光学部材１５側に反射させる反射シート２０とが備えられる。このように、本実施形態に係るバックライト装置１２は、液晶パネル１１の背面直下に光源であるＬＥＤ１７が対向状に配置されてなる、いわゆる直下型とされる。なお、当該バックライト装置１２においては、ＬＥＤ１７よりも光学部材１５側が光出射側となっている。一方、シャーシ１４における裏側（光出射側とは反対側）の外部には、ＬＥＤ１７を駆動するためのＬＥＤ駆動基板２１が配されており、このＬＥＤ駆動基板（光源駆動基板）２１とＬＥＤ基板１８とがフラットケーブル（平形導体）２２を介して電気的に中継接続されている。以下では、バックライト装置１２の各構成部品について詳しく説明する。
【００３７】
シャーシ１４は、アルミニウムなどの金属製とされ、図３から図６に示すように、液晶パネル１１と同じく平面に視て横長な方形状（長辺方向をＸ軸方向と一致させた長手状）をなす底板１４ａと、底板１４ａの各辺の外端からそれぞれ表側（光出射側）に向けて立ち上がる側板１４ｃと、各側板１４ｃの立ち上がり端から外向きに張り出す受け板１４ｄとからなる浅い略箱型に板金成形されている。底板１４ａは、その板面が液晶表示装置１０の表示面と並行するものとされ、底板１４ａにおける長辺方向が各図面のＸ軸方向（水平方向）と一致し、短辺方向が同Ｙ軸方向（鉛直方向）と一致している。底板１４ａには、詳しくは後述するがフラットケーブル２２を通すための孔部１４ｅが所定の位置に複数開口して形成されている（図６）。また、シャーシ１４の底板１４ａには、基板保持部材１９を取り付けるための取付孔についても所定の位置に複数開口して形成されている。シャーシ１４における各受け板１４ｄには、表側からフレーム１６及び次述する光学部材１５が載置可能とされる（図４及び図５）。各受け板１４ｄには、フレーム１６がねじ止めされている。
【００３８】
光学部材１５は、図２に示すように、液晶パネル１１及びシャーシ１４と同様に平面に視て横長の方形（矩形状）をなしている。光学部材１５は、図４及び図５に示すように、その外縁部が受け板１４ｄに載せられることで、シャーシ１４の開口部１４ｂを覆うとともに、液晶パネル１１とＬＥＤ１７との間に介在して配される。光学部材１５は、裏側（ＬＥＤ１７側、光出射側とは反対側）に配される拡散板１５ａと、表側（液晶パネル１１側、光出射側）に配される光学シート１５ｂとから構成される。拡散板１５ａは、所定の厚みを持つほぼ透明な樹脂製の基材内に拡散粒子を多数分散して設けた構成とされ、透過する光を拡散させる機能を有する。光学シート１５ｂは、拡散板１５ａに比べると板厚が薄いシート状をなしており、２枚が積層して配されている（図２）。具体的な光学シート１５ｂの種類としては、例えば拡散シート、レンズシート、反射型偏光シートなどがあり、これらの中から適宜に選択して使用することが可能である。
【００３９】
フレーム１６は、図２に示すように、液晶パネル１１及び光学部材１５の外周縁部に沿う枠状をなしている。このフレーム１６と各受け板１４ｄとの間で光学部材１５における外縁部を挟持可能とされている（図４及び図５）。また、このフレーム１６は、液晶パネル１１における外縁部を裏側から受けることができ、表側に配されるベゼル１３との間で液晶パネル１１の外縁部を挟持可能とされる（図４及び図５）。
【００４０】
ＬＥＤ１７は、図４に示すように、ＬＥＤ基板１８に固着される基板部上にＬＥＤチップを樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。なお、蛍光体としては、例えば黄色光を発光する黄色蛍光体、緑色光を発光する緑色蛍光体、及び赤色光を発光する赤色蛍光体の中から適宜組み合わせて用いたり、またはいずれか１つを単独で用いることができる。このＬＥＤ１７は、ＬＥＤ基板１８に対する実装面とは反対側の面が発光面となる、いわゆるトップ型とされている。さらには、ＬＥＤ１７における発光面側には、光を拡散させつつ出射させる拡散レンズ部（詳細は図示せず）が一体に設けられている。この拡散レンズ部によってＬＥＤ１７からの出射光の指向性を緩和することができ、もって当該バックライト装置１２全体の出射光における輝度ムラの抑制に資するものとされる。
【００４１】
ＬＥＤ基板１８は、図３に示すように、平面に視て縦長な方形状をなす基材を有しており、その長さ方向（長辺方向）がＹ軸方向、つまりシャーシ１４の短辺方向と一致し、幅方向（短辺方向）がＸ軸方向、つまりシャーシ１４の長辺方向と一致する状態でシャーシ１４内において底板１４ａに沿って延在しつつ収容されている。このＬＥＤ基板１８の基材の板面のうち、表側を向いた面（光学部材１５側を向いた面）には、上記した構成のＬＥＤ１７が複数、表面実装されている。ＬＥＤ１７は、図７に示すように、ＬＥＤ基板１８における長さ方向（Ｙ軸方向）及び幅方向（Ｘ軸方向）について複数ずつマトリクス状（行列状）に並列して配されるとともに、ＬＥＤ基板１８に形成された配線パターン（図示せず）にそれぞれ接続されている。具体的には、ＬＥＤ１７は、ＬＥＤ基板１８における長さ方向に５個ずつ、幅方向に４個ずつ、合計２０個が配されている。Ｘ軸方向について隣り合うＬＥＤ１７間の配列ピッチは、全てほぼ等しいものとされ、同様にＹ軸方向について隣り合うＬＥＤ１７間の配列ピッチも全てほぼ等しいものとされる。配線パターンは、ＬＥＤ１７に接続される複数の配線部により構成されており、ＬＥＤ１７に対する各配線部の具体的な接続態様としては、例えば互いに電気的に独立した各配線部が各ＬＥＤ１７に対して一対一で個別に接続される、いわば個別型の接続態様を採用することができる。これ以外の接続態様として、例えば複数のＬＥＤ１７を１つのＬＥＤ１７群として、全ＬＥＤ１７を複数のＬＥＤ１７群にグループ化するとともに、互いに電気的に独立した各配線部により、各ＬＥＤ１７群を構成するＬＥＤ１７同士をそれぞれ直列接続する、いわばグループ型の接続態様を採用することもできる。
【００４２】
上記のような構成のＬＥＤ基板１８は、図３に示すように、シャーシ１４内においてＹ軸方向（鉛直方向）について２枚が並んで配されるとともに、それら２枚のＬＥＤ基板（第１の光源基板及び第２の光源基板）１８が１つのＬＥＤ基板群１８Ｇを構成している。ＬＥＤ基板群１８Ｇを構成する各ＬＥＤ基板１８における長さ方向の端部には、コネクタ部１８ａが設けられており、具体的には鉛直方向の上側に配されるＬＥＤ基板１８には、長さ方向の両端部にコネクタ部１８ａがそれぞれ設けられているのに対し、鉛直方向の下側に配されるＬＥＤ基板１８には、長さ方向の一方の端部、詳しくは鉛直方向の上側端部にコネクタ部１８ａが設けられている。１つのＬＥＤ基板群１８Ｇを構成する２枚のＬＥＤ基板（第１の光源基板及び第２の光源基板）１８は、互いに隣接するコネクタ部１８ａ同士が接続されることで、相互の配線パターン同士の電気的な接続が図られるものとされる。そして、このＬＥＤ基板群１８Ｇは、シャーシ１４内においてＸ軸方向について、６つが間欠的に並んで配されている。隣り合うＬＥＤ基板群１８Ｇ間の間隔は、ほぼ等しいものとされる。ＬＥＤ基板１８をこのように配置することで、ＬＥＤ１７は、シャーシ１４内において、Ｘ軸方向及びＹ軸方向について、複数ずつマトリクス状（行列状）に並列配置されている。なお、各コネクタ部１８ａは、入力側端子部と出力側端子部とを有しており、これらに対して配線パターンを構成する配線部がそれぞれ接続されることで、ＬＥＤ基板群１８Ｇに対して片側にのみ接続されるフラットケーブル２２による駆動電力の供給を可能としている。また、ＬＥＤ基板１８には、基板保持部材１９を挿通させるための保持部材挿通孔が所定位置に貫通形成されている。
【００４３】
基板保持部材１９は、ポリカーボネートなどの合成樹脂製とされており、表面が光の反射性に優れた白色を呈する。基板保持部材１９は、図３から図５に示すように、ＬＥＤ基板１８の板面に沿う本体部１９ａと、本体部１９ａから裏側、つまりシャーシ１４側に向けて突出してシャーシ１４に固定される固定部１９ｂとを備える。本体部１９ａは、平面に視て略円形の板状をなすとともに、シャーシ１４の底板１４ａとの間でＬＥＤ基板１８及び次述する反射シート２０を共に挟持可能とされる。固定部１９ｂは、ＬＥＤ基板１８及びシャーシ１４の底板１４ａにおける基板保持部材１９の取付位置に対応してそれぞれ形成された保持部材挿通孔及び取付孔を貫通しつつ底板１４ａに対して係止可能とされる。この基板保持部材１９は、図３に示すように、各ＬＥＤ基板１８に対して複数（具体的には４つ）ずつ配されており、具体的にはＸ軸方向及びＹ軸方向について隣り合うＬＥＤ１７の間の位置にそれぞれ配されている。
【００４４】
反射シート２０は、合成樹脂製とされ、表面が光の反射性に優れた白色を呈するものとされる。反射シート２０は、図３から図５に示すように、シャーシ１４の内面のほぼ全域にわたって敷設される大きさを有しているので、シャーシ１４内において行列状に配された全ＬＥＤ基板１８を表側から一括して覆うことが可能とされる。この反射シート２０によりシャーシ１４内の光を光学部材１５側に向けて反射させることができるようになっている。反射シート２０は、シャーシ１４の底板１４ａに沿って延在するとともに底板１４ａの大部分を覆う大きさの底部２０ａと、底部２０ａの各外端から表側に立ち上がるとともに底部２０ａに対して傾斜状をなす４つの立ち上がり部２０ｂと、各立ち上がり部２０ｂの外端から外向きに延出するとともにシャーシ１４の受け板１４ｄに載せられる延出部２０ｃとから構成されている。この反射シート２０の底部２０ａが各ＬＥＤ基板１８における表側の面、つまりＬＥＤ１７の実装面に対して表側に重なるよう配される。また、反射シート２０の底部２０ａには、各ＬＥＤ１７と平面視重畳する位置に各ＬＥＤ１７を挿通するＬＥＤ挿通孔が開口して設けられている（図３参照）。
【００４５】
ＬＥＤ駆動基板２１は、図４及び図６に示すように、平面に視て横長な方形状をなすとともに、その長さ方向（長辺方向）がＸ軸方向と一致し、幅方向（短辺方向）がＹ軸方向と一致する状態で、底板１４ａに対して裏側（ＬＥＤ１７側とは反対側）の外部にて対向状に配されている。また、ＬＥＤ駆動基板２１は、底板１４ａにおける短辺方向の略中央位置に配されている。ＬＥＤ駆動基板２１は、液晶パネル１１に表示される画像に係る信号を処理する図示しないメイン基板（信号処理回路）から供給される信号に基づいて各種制御信号を出力するＬＥＤコントローラと、ＬＥＤコントローラから供給される各種制御信号に基づいて後述するフラットケーブル２２を介して各ＬＥＤ１７を駆動するＬＥＤドライバ（ＬＥＤコントローラ共々図示せず）とを有している。このＬＥＤ駆動基板２１により、液晶パネル１１に表示される画像に応じてＬＥＤ１７の駆動を適切に制御することが可能とされる。詳細には、ＬＥＤ駆動基板２１は、各ＬＥＤ１７に付与する電圧値を一定としつつ各ＬＥＤ１７を周期的に点滅させることで点灯期間と消灯期間との時間比率を変化させる、いわゆるＰＷＭ（Pulse Width Modulation：パルス幅変調）方式でもって各ＬＥＤ１７の発光状態を制御することができるものとされる。このＬＥＤ駆動基板２１には、次述するフラットケーブル２２を接続可能なコネクタ部２１ａが実装されている。コネクタ部２１ａは、ＬＥＤ駆動基板２１における鉛直方向の上端部において、Ｘ軸方向に沿ってＬＥＤ基板群１８Ｇと同数（本実施形態では６つ）並んで配されており、各フラットケーブル２２を個別に差し込むことが可能とされる。
【００４６】
フラットケーブル２２は、図４，図６及び図８に示すように、全体として一方向（具体的にはＹ軸方向）に沿って延在する略帯状をなしており、十分な可撓性及び絶縁性を有する基材２２ａと、基材２２ａ中に配されるとともに導電性に優れた多数本の導体部２２ｂとから構成されている。導体部２２ｂは、金属製とされており、フラットケーブル２２の延在方向に沿って延びる平形の線状をなすとともに、その延在方向と直交する方向（Ｘ軸方向）について所定の間隔を空けて多数が互いに並行しつつ並んで配されている。基材２２ａは、合成樹脂製とされており、各導体部２２ｂを相互に絶縁状態に隔てつつ各導体部２２ｂの周りを取り囲む形で配されている。この基材２２ａは、各導体部２２ｂ毎に外形が括れた形状とされているので、その表面を平面に視るとストライプ状の模様が呈するものとされる（図６及び図９）。このフラットケーブル２２は、一端側がシャーシ１４内に配されるとともに鉛直方向の上側のＬＥＤ基板１８における上側のコネクタ部１８ａに差し込まれるのに対し、他端側がシャーシ１４外に配されるとともにＬＥＤ駆動基板２１におけるコネクタ部２１ａに差し込まれることで、ＬＥＤ基板１８とＬＥＤ駆動基板２１とを電気的に中継接続する機能を有している。なお、フラットケーブル２２としては、例えばＦＦＣ（Flexible Flat Cable）と呼ばれるものを用いることができるものとされる。
【００４７】
上記した構成のフラットケーブル２２がＬＥＤ基板１８及びＬＥＤ駆動基板２１の各コネクタ部１８ａ，２１ａに接続されると、フラットケーブル２２の各導体部２２ｂは、ＬＥＤ基板群１８Ｇを構成する各ＬＥＤ基板１８の配線パターンに対してそれぞれ接続され、さらに詳しくは各配線パターンを構成する各配線部に対して接続されるようになっている。これにより、ＬＥＤ駆動基板２１からの駆動電力は、フラットケーブル２２の配線部及びＬＥＤ基板１８の配線パターンを介して各ＬＥＤ１７に供給されるとともに、各ＬＥＤ１７に対する配線パターンの接続態様に応じて各ＬＥＤ１７を駆動することができる。具体的には、各ＬＥＤ１７に対する配線パターンの接続態様が既述した個別型の接続態様であれば、配線パターンを構成する各配線部に個別に接続された各ＬＥＤ１７の個々に対して駆動電力を供給することができるので、その電圧値やＰＷＭ調光値を各ＬＥＤ１７毎に調整することができて各ＬＥＤ１７の輝度などを個別に制御することができる。一方、各ＬＥＤ１７に対する配線パターンの接続態様が既述したグループ型の接続態様であれば、配線パターンを構成する各配線部によって直列接続された各グループを構成するＬＥＤ１７群毎に駆動電力を供給することができるので、その電圧値やＰＷＭ調光値を各グループを構成するＬＥＤ１７群毎に調整することができて各ＬＥＤ１７群の輝度などを個別に制御することができる。このように、ＬＥＤ基板１８とＬＥＤ駆動基板２１とを接続する接続部品として、多数本の導体部２２ｂを有し且つ可撓性を有するフラットケーブル２２を用いることで、各ＬＥＤ１７への駆動電力の供給経路の自由度が高まり、もって各ＬＥＤ１７の輝度などをきめ細やかに制御することができる。これにより、液晶パネル１１における表示領域を複数に区分してなる区分表示領域毎に、バックライト装置１２から供給される光量を制御することができ、いわゆるローカルディミング制御を行うことが可能とされる。
【００４８】
上記した構成のフラットケーブル２２は、シャーシ１４内に配されたＬＥＤ基板１８と、シャーシ１４外に配されたＬＥＤ駆動基板２１とを接続するものであるから、既述した通りシャーシ１４には、フラットケーブル２２をシャーシ１４の内外に引き回すための孔部１４ｅが開口して形成されている。孔部１４ｅは、シャーシ１４の底板１４ａにおける鉛直方向の上端部において、Ｘ軸方向に沿ってＬＥＤ基板群１８Ｇと同数（本実施形態では６つ）並んで配されており、各フラットケーブル２２を個別に通することが可能とされる。ここで、仮にフラットケーブル２２を孔部１４ｅに直接通す構成を採用すると、次のような問題が生じるおそれがある。すなわち、孔部１４ｅは、金属製の板材からなるシャーシ１４を部分的に打ち抜くことで形成されるものであるため、孔部１４ｅの孔縁に鋭利なエッジが生じる可能性があり、そのエッジがフラットケーブル２２に対して直接干渉すると、フラットケーブル２２の表面に傷が付くおそれがある。そうなると、フラットケーブル２２の導体部２２ｂに断線が生じる場合があり、その断線した導体部２２ｂに対応するＬＥＤ１７が点灯不能となる可能性があって表示品質を著しく損なうおそれがある。それ以外にも、孔部１４ｅを通してシャーシ１４内のＬＥＤ１７からの光がシャーシ１４外へと漏れ出したり、また孔部１４ｅを通してシャーシ１４外に存在する塵埃などがシャーシ１４内に侵入するなどの問題が生じるおそれがあり、いずれも表示品質を低下させるなどの問題が生じる可能性がある。これらの問題に対処するには、例えばフラットケーブル２２を通した状態の孔部１４ｅの孔縁に接着テープを貼り付けて孔部１４ｅを塞ぐ、などの手法を採ることが考えられるものの、そうすると今度は液晶表示装置１０またはバックライト装置１２を修理したり、廃棄処分する際の分解作業における作業性並びにリサイクル性を悪化させるおそれがある。
【００４９】
そこで、本実施形態では、シャーシ１４に対して、孔部１４ｅに貫通する形で配される保護部２４を有するケーブル保護部材２３を取り付けるようにしている。ケーブル保護部材２３は、合成樹脂製とされており、大まかには、図８に示すように、孔部１４ｅに貫通する形で配されるとともにフラットケーブル２２を通す挿通孔２４ａが形成された保護部２４と、孔部１４ｅの孔縁に対して対向状をなすフランジ部２５と、フランジ部２５との間で孔部１４ｅの孔縁を挟持可能な保持部２６と、挿通孔２４ａに通されるフラットケーブル２２に所定の方向性を付与するガイド部２７と、挿通孔２４ａに通されてシャーシ１４外に配されたフラットケーブル２２を押さえる押さえ部２８とを有する。このうち、フランジ部２５及び保持部２６がシャーシ１４に対するケーブル保護部材２３の取付構造を構成している。なお、ケーブル保護部材２３は、図６に示すように、シャーシ１４の孔部１４ｅに対して取り付けられるものであるから、シャーシ１４における配置は既述した孔部１４ｅと同様とされる。
【００５０】
保護部２４は、図８及び図１０に示すように、平面に視て横長な略ブロック状をなすとともにその中央に挿通孔２４ａを貫通形成することで略短筒型に形成されている。挿通孔２４ａは、保護部２４の外形（フラットケーブル２２の断面形状）に沿って平面に視て横長形状をなしており、保護部２４をＺ軸方向に沿ってほぼ真っ直ぐに貫く形態とされている。保護部２４は、挿通孔２４ａに通されたフラットケーブル２２を全周にわたって取り囲むとともに、フラットケーブル２２と孔部１４ｅとの間に介在することで、孔部１４ｅの孔縁に対してフラットケーブル２２が直接干渉（当接、摺接）するのを防ぐことができ、もってフラットケーブル２２の保護を図ることができるものとされる。この保護部２４は、その長さ（長辺方向）がＸ軸方向と一致し、幅方向（短辺方向）がＹ軸方向と一致した姿勢で、孔部１４ｅに貫通させられつつシャーシ１４に取り付けられるものとされる。この保護部２４が貫通されるシャーシ１４の孔部１４ｅは、図１２に示すように、保護部２４の外形に沿うよう、平面に視て横長の略方形状をなしている。この孔部１４ｅは、その幅寸法が保護部２４の幅寸法よりも僅かに大きい程度とされるものの、長さ寸法が保護部２４の長さ寸法よりも所定寸法分（後述するケーブル保護部材２３の着脱に伴うスライド量程度）大きなものとされている。
【００５１】
ここで、シャーシ１４に対するケーブル保護部材２３の取付構造（保持構造）について説明する。このケーブル保護部材２３は、シャーシ１４に対する取り付けに際して、保護部２４を孔部１４ｅに挿入するとともに保持部２６をシャーシ１４内に配し且つフランジ部２５をシャーシ１４外に配した状態（図１３，図１６及び図１７に示す状態）で、Ｘ軸方向（保護部２４の長さ方向）に沿って直線的にスライドされると、フランジ部２５と保持部２６との間で孔部１４ｅの孔縁が挟持され、もってシャーシ１４に対して取り付け状態に保持されるようになっている（図１８から図２０を参照）。続いて、ケーブル保護部材２３の取付構造をなすフランジ部２５及び保持部２６の詳しい構成について順次に説明する。なお、以下では、ケーブル保護部材２３の取り付けに伴うスライド方向（図１６及び図１７に示す各矢線が示す方向）を前方、逆にケーブル保護部材２３の取り外しに伴うスライド方向（図１６及び図１７に示す各矢線が示す方向とは反対方向）を後方として説明する。
【００５２】
フランジ部２５は、図１０及び図１１に示すように、保護部２４の外面からその径方向について外向きに張り出す略鍔状をなしている。フランジ部２５は、保護部２４を全周にわたって取り囲む形、つまり保護部２４の外周面の全域にわたって設けられており、平面に視て保護部２４よりも一回り大きな横長の略方形状をなしている。フランジ部２５は、シャーシ１４の裏側外部に配されるとともに、シャーシ１４の底板１４ａに沿う板面を有する板状をなしており、図８，図１９及び図２０に示すように、表側を向いた板面が底板１４ａの裏面、つまり外側の面に対して対向状をなしつつ当接されるようになっている。フランジ部２５は、底板１４ａにおける孔部１４ｅの孔縁に対してその全周にわたって当接されるようになっている（図１８）。また、フランジ部２５は、両短辺側部分のうちの後側の短辺側部分（後述する抜け止め部２９及び切り欠き３０の形成部位）が、前側の短辺側部分よりも幅寸法が大きなものとされており、全体として非対称形状とされる。
【００５３】
保持部２６は、図１０及び図１１に示すように、保護部２４の外周面のうち、Ｘ軸方向（ケーブル保護部材２３のスライド方向）に沿った長辺側の外面からＹ軸方向（ケーブル保護部材２３のスライド方向と直交する方向）に突出するとともに、略ブロック状をなしている。保持部２６は、保護部２４における長辺側の両外面に一対ずつ、それぞれＸ軸方向について離間した位置に配されており、合計４つ設けられている。各保持部２６は、保護部２４のうちＸ軸方向について中央よりは端寄りの位置にそれぞれ配されている。保持部２６は、図８及び図１９に示すように、保護部２４の外面においてフランジ部２５よりもＺ軸方向について表側に離間した位置に配されており、フランジ部２５との間に保有される間隔は、シャーシ１４の底板１４ａの板厚寸法程度の大きさとされる。さらに詳しくは、保持部２６は、保護部２４における表側の端部に配されており、その表側を向いた面が保護部２４における表側の面と面一状をなしている。そして、保持部２６における裏側を向いた面は、底板１４ａにおける孔部１４ｅの孔縁の表側の面、つまり内側の面に対して対向状をなしつつ当接されるようになっている。また、保持部２６における裏側を向いた面のうち、図１９に示す左側端部、つまり取り付けに伴うスライド方向の前端部には、テーパ状をなすスライドガイド面２６ａが形成されており、それにより取り付けに伴うスライド操作時に保持部２６が孔部１４ｅの孔縁に対して引っ掛かり難くなってスライド操作の円滑化を図ることができるものとされる。なお、フランジ部２５には、ケーブル保護部材２３樹脂成形する際に保持部２６を型抜きする都合上、型抜き孔２５ａが形成されている（図１０及び図１１）。
【００５４】
一方、シャーシ１４の底板１４ａには、図１２に示すように、上記した保持部２６を通す保持部挿通孔１４ｆが孔部１４ｅに連なる（開口する）形態で設けられている。保持部挿通孔１４ｆは、孔部１４ｅの孔縁における両長辺側部分に一対ずつ、Ｘ軸方向について離間した位置にそれぞれ配されており、各保持部２６と平面視重畳し得る配置とされている（図１３）。そして、このケーブル保護部材２３は、各保持部２６が各保持部挿通孔１４ｆに整合していて孔部１４ｅの孔縁からは外れた非保持位置（図１３，図１６及び図１７）と、各保持部２６が各保持部挿通孔１４ｆから外れて孔部１４ｅの孔縁に係合する保持位置（図１８から図２０）とに選択的に配されるとともに、上記した両位置間をＸ軸方向に沿ってスライドされるようになっている。上記した非保持位置では、各保持部２６が各保持部挿通孔１４ｆに対して挿抜自在とされるので、ケーブル保護部材２３をシャーシ１４の底板１４ａに対して接離する方向、つまりＺ軸方向（スライド方向及び保持部２６の突出方向の双方と直交する方向）について移動させることが許容されている。一方、保持位置では、フランジ部２５と保持部２６との間で孔部１４ｅの孔縁が挟持された状態とされるから、ケーブル保護部材２３がシャーシ１４の底板１４ａに対してＺ軸方向について移動不能とされ、もってケーブル保護部材２３をシャーシ１４に対して取り付け状態に保持することができる。
【００５５】
ところで、上記したフランジ部２５には、図１０及び図２０に示すように、保持位置に達したケーブル保護部材２３が非保持位置側、つまり取り付けに伴うスライド方向の後側に移動するのを規制する抜け止め部２９が設けられている。抜け止め部２９は、フランジ部２５における表側の面（底板１４ａとの対向面）から表側へ向けて突出する、略ブロック状をなしている。抜け止め部２９は、フランジ部２５における両短辺側部分のうち、図１０及び図２０に示す右側、つまり取り付けに伴うスライド方向の後側の短辺側部分に設けられている。抜け止め部２９は、Ｙ軸方向（スライド方向と直交する方向）について各保持部２６とは重ならないものの、保護部２４とは重なる位置に配されているので、シャーシ１４における孔部１４ｅ内に進入することが可能とされるものの、保持部挿通孔１４ｆには進入することがない。そして、抜け止め部２９は、非保持位置では、孔部１４ｅに対して後側に外れた位置に配されるものの（図１３，図１６及び図１７）、保持位置では、孔部１４ｅ内に進入するとともにその内周面のうち、後側の面に対して係止されることで、ケーブル保護部材２３の抜け止めを図ることができるものとされる（図１８から図２０）。さらには、フランジ部２５における後側の短辺側部分には、抜け止め部２９からＹ軸方向について離間した位置に切り欠き３０が形成されることで、片持ち状をなす片部３１が形成されている。片部３１は、保護部２４に連なる基端部を支点としてＺ軸方向について弾性変形可能とされている。抜け止め部２９は、この片部３１に形成されているので、非保持位置において孔部１４ｅから外れて底板１４ａに当接された状態では、片部３１が弾性変形されるようになっている（図１７）。
【００５６】
続いて、ガイド部２７について説明する。ガイド部２７は、図８及び図９に示すように、保護部２４に一体に設けられるとともに挿通孔２４ａと平面に視て重畳するよう配されている。詳しくは、ガイド部２７は、保護部２４のうち裏側（シャーシ１４外）を向いた面から裏側に向けて突出しつつ挿通孔２４ａに被さるように斜めにせり出す、略庇状をなしている。ガイド部２７は、挿通孔２４ａの孔縁と共にフラットケーブル２２をシャーシ１４外へ引き出す引き出し口３２を構成しており、その引き出し口３２は、図８に示す斜め右下方向を向いて開口している。ガイド部２７は、挿通孔２４ａの孔縁の一部に設けられているので、その内面が挿通孔２４ａの内面に連続的に連なっている。従って、挿通孔２４ａにフラットケーブル２２を通す際には、ガイド部２７の内面にフラットケーブル２２を当接させつつ引き出すことで、フラットケーブル２２に対して引き出し口３２の開口方向に向くように方向性を付与することができる。ガイド部２７の内面は、挿通孔２４ａの内面に対して傾いた傾斜面２７ａと、挿通孔２４ａの内面に対してほぼ直交する直交面２７ｂとを連ねてなる。このガイド部２７は、挿通孔２４ａの孔縁における両長辺側部分のうち、鉛直方向の上側の長辺側部分に設けられているので、上記した引き出し口３２は、鉛直方向の斜め下向きに開口している。従って、この引き出し口３２には、シャーシ１４外に存在する塵埃などが侵入し難いものとされている。
【００５７】
次に、押さえ部２８について説明する。フランジ部２５における長辺方向の両端部には、図９及び図１０に示すように、鉛直方向の下向き、つまり引き出し口３２からのフラットケーブル２２の引き出し方向に延出する延出部２５ｂが一対設けられており、各延出部２５ｂには、シャーシ１４外に配されたフラットケーブル２２をシャーシ１４の底板１４ａ側に押さえる機能を有する押さえ部２８がそれぞれ一体に形成されている。押さえ部２８は、一対の延出部２５ｂに対応して一対設けられるとともに、フラットケーブル２２を幅方向（Ｘ軸方向）の両側から挟み込む位置に配されている。一対の押さえ部２８は、それぞれ各延出部２５からＸ軸方向に沿って内向き、つまり互いに接近する方向に突出する片持ち状の板片からなるものとされる。従って、押さえ部２８は、フランジ部２５とは平面に視て重畳することがない配置とされており、シャーシ１４の底板１４ａに対して対向状をなしている。
【００５８】
そして、押さえ部２８は、図８に示すように、延出部２５ｂからＺ軸方向について裏側、つまり底板１４ａから遠ざかる方向に一段、突出する形態とされており、それにより押さえ部２８と底板１４ａとの間には、所定の間隙が保有されている。この押さえ部２８と底板１４ａとの間の間隙は、フラットケーブル２２の厚み寸法よりも大きなものとされている。押さえ部２８の内面（底板１４ａとの対向面）は、底板１４ａの板面に並行するものとされ、フランジ部２５の外面（底板１４ａ側と向いた面とは反対側の面）よりも、Ｚ軸方向について底板１４ａから遠い位置に配される一方で、ガイド部２７の内面における直交面２７ｂとはほぼ面一状をなしている。さらに詳細には、押さえ部２８の内面とフランジ部２５の外面とにおける、底板１４ａからのＺ軸方向の距離差は、フラットケーブル２２の厚み寸法より小さいものとされる。従って、引き出し口３２から鉛直方向の下向きに引き出されたフラットケーブル２２は、フランジ部２５の外面に沿って延出すると、底板１４ａに対して対向状をなす押さえ部２８が配されているため、底板１４ａ側に接近するよう屈曲されて底板１４ａに沿って延出されるようになっている。このように、一対の押さえ部２８によってフランジ部２５との間で屈曲させたフラットケーブル２２における幅方向の両端部を押さえることで、フラットケーブル２２がシャーシ１４の底板１４ａからＺ軸方向について離間する方向に移動するのを規制することができ、もってフラットケーブル２２に弛みが生じるのを防ぐことができる。
【００５９】
本実施形態は以上のような構造であり、続いてその作用を説明する。液晶パネル１１及びバックライト装置１２をそれぞれ別途に製造し、それらをベゼル１３などを用いて互いに組み付けることで、図４及び図５に示す液晶表示装置１０が製造される。このうち、バックライト装置１２を製造する際の組み付け作業について詳しく説明する。
【００６０】
ＬＥＤ１７を実装したＬＥＤ基板１８をシャーシ１４内に収容する作業を行う一方で、ケーブル保護部材２３をシャーシ１４に取り付ける作業を行う。ケーブル保護部材２３の取り付け作業について詳しく説明すると、まず、図１４及び図１５に示すように、シャーシ１４の底板１４ａの裏側に配したケーブル保護部材２３における保護部２４を孔部１４ｅに、各保持部２６を各保持部挿通孔１４ｆにそれぞれ位置合わせする。その状態で、ケーブル保護部材２３を底板１４ａに接近させるよう押し込むと、保護部２４が孔部１４ｅに貫通させられるとともに、各保持部２６が各保持部挿通孔１４ｆに通された後、フランジ部２５が底板１４ａの裏側の面に当接されると、図１３及び図１６に示すように、各保持部２６が各保持部挿通孔１４ｆを通り抜けてシャーシ１４内（底板１４ａの表側）に配される。これにより、ケーブル保護部材２３は、各保持部２６が孔部１４ｅの孔縁から外れた非保持位置に配される。このとき、フランジ部２５の一部である片部３１は、図１７に示すように、孔部１４ｅから外れた位置にある抜け止め部２９が底板１４ａに当接されるのに伴って、一旦弾性変形される。また、この非保持位置では、孔部１４ｅの内周面のうち、保護部２４の前側に対向する面と保護部２４との間には、ケーブル保護部材２３のスライド量分程度の間隙が保有されており、その間隙のうちの大部分がフランジ部２５によって覆われるものの、一部についてはフランジ部２５によって覆われることないので、この非被覆部分を目視により確認することで、ケーブル保護部材２３が非保持位置にあることが作業者に分かるものとされる。
【００６１】
非保持位置としたケーブル保護部材２３を、Ｘ軸方向に沿って図１３，図１６及び図１７に示す左側へ向けてスライドさせると、各保持部２６がそのスライドガイド面２６ａによって孔部１４ｅの孔縁に引っ掛かることなく円滑に移動されて、各保持部挿通孔１４ｆから外れる。そして、ケーブル保護部材２３が保持位置に達すると、図１８及び図１９に示すように、各保持部２６が孔部１４ｅの孔縁に係合されるとともにフランジ部２５との間で孔部１４ｅの孔縁を挟持することで、ケーブル保護部材２３が保持位置からシャーシ１４に対してＺ軸方向について変位不能な状態に保持される。ケーブル保護部材２３が保持位置に達すると、図２０に示すように、抜け止め部２９が孔部１４ｅ内に進入するとともに片部３１が弾性復帰することで、抜け止め部２９が孔部１４ｅの内面に対して係止される。これにより、ケーブル保護部材２３が保持位置からＸ軸方向について取り付けに伴うスライド方向とは反対方向、つまり取り外し時のスライド方向に移動するのが規制され、もってケーブル保護部材２３の抜け止めを図ることができる。
【００６２】
上記のようにしてケーブル保護部材２３をシャーシ１４に対して取り付け状態に保持させたら、シャーシ１４内に配したフラットケーブル２２における一端側をＬＥＤ基板１８における対応するコネクタ部１８ａに差し込む作業を行う。続いて、図８に示すように、フラットケーブル２２における他端側を、シャーシ１４の孔部１４ｅに取り付けたケーブル保護部材２３における保護部２４が有する挿通孔２４ａに通して、シャーシ１４外に引き出す作業を行う。この保護部２４は、フラットケーブル２２と孔部１４ｅとの間に介在していて両者を隔絶状態に保っているので、フラットケーブル２２が孔部１４ｅの孔縁に直接干渉することが確実に回避されており、もって孔部１４ｅの孔縁に鋭利なエッジが生じていてもそのエッジによってフラットケーブル２２が傷付けられるのが防がれている。引き出し作業について詳しく説明すると、フラットケーブル２２を挿通孔２４ａに通す際には、フラットケーブル２２は、保護部２４の裏側に設けられたガイド部２７の内面（傾斜面２７ａ及び直交面２７ｂ）に当たることで、引き出し口３２の開口方向、つまり鉛直方向の斜め下側へ向かうような方向性を付与されつつシャーシ１４外へと引き出される。そして、引き出し口３２から鉛直方向の下向きに引き出されたフラットケーブル２２を、図８及び図９に示すように、フランジ部２５に宛いつつ押さえ部２８と底板１４ａとの間の間隙に通すとともに、底板１４ａに沿わせつつさらに鉛直方向の下側へと引き出すようにする。このとき、フラットケーブル２２は、互いに段差状の配置とされたフランジ部２５と押さえ部２８との間で屈曲されて適切な張力が付与されるとともに、一対の押さえ部２８によって幅方向の両端部が底板１４ａ側に押さえられるので、不用意にＺ軸方向について底板１４ａから離間するよう変位するのが規制されている。これにより、フラットケーブル２２に弛みが生じるのを防止することができる。
【００６３】
上記のようにしてフラットケーブル２２に引き回し作業を終えたら、シャーシ１４内に反射シート２０を敷設してから、基板保持部材１９を取り付けることで、ＬＥＤ基板１８及び反射シート２０の保持を図るようにする。このとき、反射シート２０における立ち上がり部２０ｂによってケーブル保護部材２３及びフラットケーブル２２が差し込まれたコネクタ部１８ｂが共に表側から覆われる（図８）。それから、シャーシ１４に対して光学部材１５、フレーム１６を順次に組み付ける作業を行う一方で、ＬＥＤ駆動基板２１を組み付ける作業を行う。ＬＥＤ駆動基板２１をシャーシ１４に組み付けたら、そのコネクタ部２１ａに対してフラットケーブル２２の他端側を差し込むようにする。これにより、ＬＥＤ駆動基板２１とＬＥＤ基板１８に実装された各ＬＥＤ１７とが互いに電気的に接続される。なお、ＬＥＤ駆動基板２１を組み付けるタイミングは、上記に限らず、適宜に変更することが可能である。
【００６４】
以上のような手順で組み付けられたバックライト装置１２にベゼル１３を介して液晶パネル１１を組み付けることで、液晶表示装置１０が得られる。液晶表示装置１０には、内部にチューナーＴや電源Ｐなどを収容したキャビネットＣａ，Ｃｂが組み付けられることで、テレビ受信装置ＴＶが得られるものとされる。
【００６５】
上記のようにして製造された液晶表示装置１０の電源がＯＮされると、液晶パネル１１は、メイン基板によってその駆動が制御されるとともに、各ＬＥＤ１７は、メイン基板から供給される信号に基づいてＬＥＤ駆動基板２１によってその駆動が制御されることで、各ＬＥＤ１７から発せられた光が光学部材１５を介して液晶パネル１１に照射され、もって液晶パネル１１に所定の画像が表示される。各ＬＥＤ１７の駆動について詳しく説明すると、メイン基板からの信号に基づいてＬＥＤ駆動基板２１におけるＬＥＤコントローラから各種制御信号が出力されるとともに、その制御信号に基づいてＬＥＤドライバは、フラットケーブル２２を介して各ＬＥＤ１７を、所定の電圧値及びＰＷＭ調光値でもって駆動するものとされる。ここで、本実施形態では、ＬＥＤ駆動基板２１とＬＥＤ基板１８との接続を、多数本の導体部２２ｂを有するフラットケーブル２２によって図るようにしており、各導体部２２ｂがＬＥＤ基板１８の配線パターンを構成する各配線部に個別に接続されるものとされているから、各ＬＥＤ１７に対する配線パターンの接続態様に応じて各ＬＥＤ１７を駆動することが可能とされる。具体的には、各ＬＥＤ１７に対する配線パターンの接続態様が個別型の接続態様であれば、既述した通り、ＬＥＤ基板１８上の各ＬＥＤ１７を個別に駆動させることができるから、例えば各ＬＥＤ１７の輝度を全て異ならせる駆動が可能とされる。一方、各ＬＥＤ１７に対する配線パターンの接続態様がグループ型の接続態様であれば、既述した通り、グループ化されたＬＥＤ１７群を個別に駆動させることができるから、例えばＬＥＤ１７群毎に輝度を異ならせる駆動が可能とされる。従って、液晶パネル１１における表示領域を、複数の区分表示領域に区分したとき、例えば相対的に暗い区分表示領域を担当するＬＥＤ１７については、輝度が相対的に低くなるよう駆動する一方、相対的に明るい区分表示領域を担当するＬＥＤ１７については、輝度が相対的に高くなるよう駆動することができる。このように、液晶パネル１１における区分表示領域毎にバックライト装置１２から供給される光量を制御する、いわゆるローカルディミング制御を行うことにより、コントラスト性能を向上させることができ、もって極めて高い表示品質を得ることができるものとされる。
【００６６】
しかも、フラットケーブル２２は、図８に示すように、保護部２４によって孔部１４ｅの孔縁に生じ得る鋭利なエッジから保護されているから、断線などが生じ難くなっており、もってＬＥＤ１７の点灯信頼性が高いものとされる。さらには、保護部２４に形成された挿通孔２４ａは、孔部１４ｅに比べると開口間口が相対的に小さなものとされているから、シャーシ１４内に配されたＬＥＤ１７からの光が外部に漏れ出し難くなっているとともに、シャーシ１４外から塵埃などがシャーシ１４内に侵入し難くなっている。上記のようにシャーシ１４外への光漏れが防がれれば、液晶パネル１１における画像の表示に利用される光量が増す（光の利用効率が向上する）ことになるので、表示品質の向上並びに低消費電力化が図られるものとされる。また、上記のようにシャーシ１４内への塵埃などの侵入が防がれれば、塵埃などがシャーシ１４内の光学系の部材（光学部材１５、ＬＥＤ１７、反射シート２０）に付着することが避けられるので、輝度ムラや輝度低下などの問題が生じ難く、もって高い表示品質を得ることができるとともに製品寿命を長くすることができる。その上、フランジ部２５がシャーシ１４における孔部１４ｅの孔縁に当接されていることで、保護部２４と孔部１４ｅとの間に生じ得る隙間が塞がれているので、上記した光漏れ防止効果及び塵埃の侵入防止効果がより高いものとされる。さらには、ガイド部２７が挿通孔２４ｃの孔縁における鉛直方向の上側に配されるとともに、引き出し口３２が鉛直方向の斜め下側を向いて開口する形態とされているから、引き出し口３２に対して外部の塵埃などが侵入し難くなっているとともに、引き出し口３２から多少光が漏れ出してその光が放熱孔Ｈを通してキャビネットＣｂ外に漏れたとしてもその光が鉛直方向の上側に向かうことがないので、使用者に気付かれ難くなっている。
【００６７】
ところで、上記した液晶表示装置１０をメンテナンスや修理を行う際や廃棄処分する際には、解体作業を行う必要がある。液晶表示装置１０の解体に際しては、既述した組付手順とは逆の手順でもって各部材を取り外すようにする。ここでは、特にケーブル保護部材２３の取り外し作業について説明する。図１８から図２０に示すように、ケーブル保護部材２３からフラットケーブル２２を取り外した状態で、片部３１を弾性変形させて孔部１４ｅの内面に対する抜け止め部２９の係止状態を解除しつつ、保持位置としたケーブル保護部材２３をＸ軸方向に沿って取り付け時とは逆方向にスライドさせる。ケーブル保護部材２３が非保持位置に達すると、図１３，図１６及び図１７に示すように、各保持部２６が孔部１４ｅの孔縁から外れるとともに各保持部挿通孔１４ｆに整合する配置となるので、そのままケーブル保護部材２３をＺ軸方向に沿って底板１４ａから引き離すことで、図１４及び図１５に示すように、ケーブル保護部材２３をシャーシ１４から取り外すことができる。以上のように、ケーブル保護部材２３をシャーシ１４から容易に取り外すことができるから、仮に孔部１４ｅの孔縁に接着テープを貼り付けることで、フラットケーブル２２の傷付き防止対策、光漏れ防止対策、及び塵埃侵入防止対策を行った場合に比べると、解体に係る作業性に優れるとともにリサイクル性にも優れるものとされる。
【００６８】
以上説明したように本実施形態のバックライト装置（照明装置）１２は、ＬＥＤ（光源）１７と、ＬＥＤ１７に接続されたフラットケーブル（平形導体）２２と、ＬＥＤ１７を収容するとともに孔部１４ｅを有するシャーシ１４と、孔部１４ｅを貫く形で配され、フラットケーブル２２を通す挿通孔２４ａが形成されるとともにフラットケーブル２２と孔部１４ｅとの間に介在する保護部２４を有するケーブル保護部材（平形導体保護部材）２３とを備える。
【００６９】
このようにすれば、シャーシ１４の孔部１４ｅを貫く形で配されるケーブル保護部材２３の保護部２４には、挿通孔２４ａが形成されているので、シャーシ１４内に収容されたＬＥＤ１７に接続されるフラットケーブル２２は、この挿通孔２４ａを通してシャーシ１４外に引き出されるようになっている。そして、保護部２４は、挿通孔２４ａに通されたフラットケーブル２２と孔部１４ｅとの間に介在しているので、孔部１４ｅの孔縁に対してフラットケーブル２２が直接干渉するのを防ぐことができ、もってフラットケーブル２２に傷が付くなどの問題を生じ難くすることができる。しかも、保護部２４に形成された挿通孔２４ａは、孔部１４ｅに比べると開口間口が相対的に小さなものとされるので、シャーシ１４内におけるＬＥＤ１７からの光がシャーシ１４外に漏れ出し難くなるとともにシャーシ１４外の塵埃などがシャーシ１４内に侵入し難くなる。さらには、仮に接着テープなどを孔部１４ｅの孔縁に貼り付けるようにして対策した場合に比べると、例えば修理や廃棄に伴って解体作業を行う際の作業性を良好なものとすることができる。
【００７０】
また、ケーブル保護部材２３には、フラットケーブル２２のうちシャーシ１４外に配された部分をシャーシ１４側に押さえる押さえ部２８が設けられている。このようにすれば、フラットケーブル２２のうちシャーシ１４外に配された部分を押さえ部２８によってシャーシ１４側に押さえることで弛みが生じ難くなる。
【００７１】
また、フラットケーブル２２は、一方向に沿って延在する形態とされており、押さえ部２８は、フラットケーブル２２における幅方向についての両側に位置して一対設けられている。このようにすれば、一対の押さえ部２８によりフラットケーブル２２を幅方向について両側から押さえることができるので、フラットケーブル２２に弛みが一層生じ難くなる。
【００７２】
また、保護部２４の外面には、シャーシ１４における孔部１４ｅの孔縁に対して対向状をなすフランジ部２５が張り出して設けられており、押さえ部２８は、フランジ部２５に連なる形態とされる。このようにすれば、保護部２４の外面から張り出すフランジ部２５が、シャーシ１４における孔部１４ｅの孔縁に対して対向状をなすことで、孔部１４ｅと保護部２４との間に生じ得る隙間から光漏れが生じたり、上記隙間に塵埃などが侵入するのを防ぐことができる。そして、このフランジ部２５に連なる形態で押さえ部２８を設けるようにしているので、仮に押さえ部を保護部２４に設けるようにした場合に比べると、例えば押さえ部２８を保護部２４から離間した位置に配することが可能となるなど、押さえ部２８の配置の自由度を高めることができる。
【００７３】
また、フランジ部２５は、孔部１４ｅの孔縁に対してシャーシ１４外から当接されており、押さえ部２８は、フランジ部２５とは平面に視て重畳しない位置に配されている。このようにすれば、フランジ部２５を孔部１４ｅの孔縁に対してシャーシ１４外から当接させることで、ケーブル保護部材２３の着脱に係る作業性を良好なものとすることができる。一方、挿通孔２４ａを通してシャーシ１４外に配されたフラットケーブル２２は、フランジ部２５に沿って配される部分を有することになるが、そのフラットケーブル２２をフランジ部２５とは平面に視て重畳しない位置に配された押さえ部２８によってフランジ部２５を介することなくシャーシ１４との間で挟み込むことができるので、弛みの発生をより効果的に抑制することができる。
【００７４】
また、押さえ部２８は、フランジ部２５との間でフラットケーブル２２を屈曲した状態で押さえるよう配されている。このようにすれば、押さえ部２８は、フランジ部２５との間でフラットケーブル２２を屈曲した状態で押さえることができるので、フラットケーブル２２に適切な張力を付与することができ、もって弛みの発生をより確実に抑制することができる。
【００７５】
また、ケーブル保護部材２３には、シャーシ１４外において挿通孔２４ａと平面に視て重畳するよう配されるとともに、挿通孔２４ａを通してシャーシ１４外に引き出されるフラットケーブル２２に方向性を付与するガイド部２７が設けられている。このようにすれば、挿通孔２４ａを通してシャーシ１４外に引き出されるフラットケーブル２２に対して、シャーシ１４外において挿通孔２４ａと平面に視て重畳するよう配されるガイド部２７によって方向性を付与することができるから、フラットケーブル２２の引き出しに係る作業を容易に行うことができる。しかも、挿通孔２４ａと平面に視て重畳するよう配されたガイド部２７によって挿通孔２４ａからの光漏れをより好適に防ぐことができるとともに、外部の塵埃などが挿通孔２４ａ内に侵入するのをより好適に防ぐことができる。
【００７６】
また、ガイド部２７は、保護部２４に連なる形態で設けられるとともに、その内面が挿通孔２４ａの内面に連続している。このようにすれば、ガイド部２７の内面が挿通孔２４ａの内面に連続しているので、両者の内面に沿ってフラットケーブル２２を屈曲させることが可能となり、もってフラットケーブル２２の引き出しに係る作業性を一層向上させることができる。
【００７７】
また、フラットケーブル２２における引き出し方向は、鉛直方向に並行するものとされており、ガイド部２７は、挿通孔２４ａの孔縁と共に引き出し口３２を構成するとともにその引き出し口３２が鉛直方向の下側を向くよう形成されている。このようにすれば、引き出し口３２が鉛直方向の下側を向いているので、シャーシ１４外の塵埃などが引き出し口３２からより侵入し難いものとなる。また、仮に引き出し口３２から光が漏れ出した場合でも、その光漏れが使用者に気付かれ難くなる。
【００７８】
また、シャーシ１４内には、ＬＥＤ１７が複数実装されたＬＥＤ基板（光源基板）１８が収容されており、フラットケーブル２２は、ＬＥＤ基板１８に接続されている。このようにすれば、ＬＥＤ基板１８にフラットケーブル２２を接続することで、ＬＥＤ基板１８に実装された複数のＬＥＤ１７に対して電力を供給することができる。
【００７９】
また、フラットケーブル２２は、互いに並行する複数の導体部２２ｂを有しており、複数の導体部２２ｂには、異なるＬＥＤ１７に接続されるものが含まれている。このようにすれば、複数の導体部２２ｂには、異なるＬＥＤ１７に接続されるものが含まれているから、各ＬＥＤ１７における輝度などを、接続された導体部２２ｂ毎に独立して制御することが可能とされる。
【００８０】
また、ＬＥＤ基板１８は、シャーシ１４内に複数が並んで配され、その複数のＬＥＤ基板１８のうち、互いに電気的に接続されたものが１つのＬＥＤ基板群（光源基板群）１８Ｇを構成していて、そのＬＥＤ基板群１８Ｇを構成する少なくとも１つのＬＥＤ基板１８に対してフラットケーブル２２が接続されるものとされており、フラットケーブル２２は、互いに並行する複数の導体部２２ｂを有しており、複数の導体部２２ｂには、ＬＥＤ基板群１８Ｇを構成する第１のＬＥＤ基板１８が有するＬＥＤ１７に接続されるものと、第２のＬＥＤ基板１８が有するＬＥＤ１７に接続されるものとが少なくとも含まれている。このようにすれば、複数の導体部２２ｂには、ＬＥＤ基板群１８Ｇを構成する第１のＬＥＤ基板１８が有するＬＥＤ１７に接続されるものと、第２のＬＥＤ基板１８が有するＬＥＤ１７に接続されるものとが少なくとも含まれているから、各ＬＥＤ基板１８が有するＬＥＤ１７における輝度などを、接続された導体部２２ｂ毎に独立して制御することが可能とされる。
【００８１】
また、保護部２４の外面には、シャーシ１４における孔部１４ｅの孔縁に対して対向状をなすフランジ部２５が張り出して設けられている。このようにすれば、保護部２４の外面から張り出すフランジ部２５が、シャーシ１４における孔部１４ｅの孔縁に対して対向状をなすことで、孔部１４ｅと保護部２４との間に生じ得る隙間から光漏れが生じたり、上記隙間に塵埃などが侵入するのを防ぐことができる。
【００８２】
また、フランジ部２５は、孔部１４ｅの孔縁に対してシャーシ１４外から当接されている。このようにすれば、フランジ部２５を孔部１４ｅの孔縁に対してシャーシ１４外から当接させることで、ケーブル保護部材２３の着脱に係る作業性を良好なものとすることができる。
【００８３】
また、保護部２４の外面には、フランジ部２５との間でシャーシ１４における孔部１４ｅの孔縁を挟持可能な保持部２６が設けられている。このようにすれば、保持部２６とフランジ部２５との間でシャーシ１４における孔部１４ｅの孔縁を挟持させることで、ケーブル保護部材２３をシャーシ１４に対して取り付け状態に保持させることができる。
【００８４】
また、ケーブル保護部材２３は、シャーシ１４に対してその板面に沿う方向にスライドされることで、保持部２６がシャーシ１４における孔部１４ｅの孔縁から外れる非保持位置と、保持部２６がシャーシ１４における孔部１４ｅの孔縁に係合する保持位置とに選択的に配されるものとされる。このようにすれば、非保持位置としたケーブル保護部材２３をシャーシ１４の板面に沿う方向にスライドさせて保持位置に達すると、保持部２６がシャーシ１４における孔部１４ｅの孔縁に係合されるとともにフランジ部２５との間で孔部１４ｅの孔縁を挟持することで、ケーブル保護部材２３をシャーシ１４に対して取り付け状態に保持させることができる。保持位置としたケーブル保護部材２３をシャーシ１４から取り外す場合には、取り付け時とは逆方向にケーブル保護部材２３をスライドさせて非保持位置とすることで、シャーシ１４からの取り外しが可能となる。このように、ケーブル保護部材２３の着脱に係る作業性に優れる。
【００８５】
また、保持部２６は、保護部２４の外面からケーブル保護部材２３におけるスライド方向と交差する方向に向けて突出する形態とされており、シャーシ１４における孔部１４ｅの孔縁には、孔部１４ｅに連なるとともに非保持位置において保持部２６を通す保持部挿通孔１４ｆが設けられている。このようにすれば、非保持位置では、保持部挿通孔１４ｆに保持部２６が通されるのに対し、保持位置では、保持部２６が保持部挿通孔１４ｆから外れて孔部１４ｅの孔縁に係合される。仮に保持部を保護部２４の外面からケーブル保護部材２３のスライド方向に向けて突出する形態とした場合に比べると、保護部２４における保持部２６の配置や設置数などの自由度が高いものとなる。
【００８６】
また、フランジ部２５には、非保持位置では孔部１４ｅ外に配されるものの、保持位置では孔部１４ｅ内に進入するとともにその内面に係止することで、ケーブル保護部材２３が取り付けに伴うスライド方向とは逆方向に移動するのを規制する抜け止め部２９が設けられている。このようにすれば、ケーブル保護部材２３が非保持位置から保持位置へとスライドされると、抜け止め部２９が孔部１４ｅ内に進入してその内面に係止することで、保持位置に達したケーブル保護部材２３が取り付けに伴うスライド方向とは逆方向に移動するのが規制される。これにより、ケーブル保護部材２３の抜け止めを図ることができる。
【００８７】
また、フランジ部２５には、切り欠き３０が形成されることで、抜け止め部２９を有する片持ち状の片部３１が形成されている。このようにすれば、ケーブル保護部材２３が非保持位置とされた状態では、抜け止め部２９が孔部１４ｅ外に配されることになるが、その抜け止め部２９を有する片部３１は、片持ち状をなしているので、孔部１４ｅ外に配された抜け止め部２９がシャーシ１４に当接されるのに伴って弾性変形されるようになっている。そして、ケーブル保護部材２３が保持位置までスライドされると、片部３１が弾性復帰するとともに抜け止め部２９が孔部１４ｅ内に進入してその内面に係止されることで、抜け止めが図られる。
【００８８】
＜実施形態２＞
本発明の実施形態２を図２１または図２２によって説明する。この実施形態２では、シャーシ１１４に対するケーブル保護部材１２３の取付構造を変更したものを示す。なお、上記した実施形態１と同様の構造、作用及び効果について重複する説明は省略する。
【００８９】
本実施形態に係るケーブル保護部材１２３は、図２１及び図２２に示すように、シャーシ１１４の孔部１１４ｅに対してＺ軸方向に沿って押し込まれることで取り付けられるようになっており、孔部１１４ｅ及びケーブル保護部材１２３が、上記した実施形態１にて示した保持部挿通孔１４ｆ、抜け止め部２９、切り欠き３０及び片持ち状の片部３１（図１８及び図２０参照）をそれぞれ有していない点で実施形態１とは構成上異なる。詳しくは、孔部１１４ｅは、平面に視てケーブル保護部材１２３の保護部１２４とほぼ同じ外形をなしており、保護部１２４の挿抜を許容する程度のクリアランスを有する大きさとされる。ケーブル保護部材１２３（特にフランジ部１２５）は、Ｘ軸方向についての中央位置を通る中心線に関してほぼ線対称形状をなしている。保持部１２６は、保護部１２４における長辺側の両外面から、Ｙ軸方向に沿って外向きに突出するとともに、保護部１２４を孔部１１４ｅに整合させた状態において孔部１１４ｅの孔縁に対して平面に視て重畳するものとされる。各保持部１２６における表側を向いた面、つまりシャーシ１１４に対するケーブル保護部材１２３の押し込み方向の先端面には、テーパ状をなす押し込みガイド面３３が形成されている。なお、図２１には、取り外した状態のケーブル保護部材１２３を二点鎖線にて示している。
【００９０】
ケーブル保護部材１２３をシャーシ１１４に取り付ける際には、保護部１２４を孔部１１４ｅに対して整合させるよう位置決めしつつ、ケーブル保護部材１２３をＺ軸方向に沿って表側へ向けて押し込むようにする。すると、各保持部１２６の押し込みガイド面３３が孔部１１４ｅの孔縁に摺接されることで、各保持部１２６が孔部１１４ｅ内を円滑に通されるようになっている。そして、フランジ部１２５が孔部１１４ｅの孔縁に対して裏側から当接される深さまで押し込まれると、各保持部１２６が孔部１１４ｅを通り抜けて底板１１４ａの表側に達するとともに孔部１１４ｅの孔縁に対して係合される。これにより、フランジ部１２５と各保持部１２６との間で孔部１１４ｅの孔縁が挟持され、もってケーブル保護部材１２３をシャーシ１１４に対して取り付け状態に保持することができる。なお、ケーブル保護部材１２３をシャーシ１１４から取り外す際には、孔部１１４ｅの孔縁に対する各保持部１２６の係合状態を工具などによって強制的に解除しつつ、ケーブル保護部材１２３を裏側へ向けて引っ張ることで、取り外しを図ることができる。
【００９１】
以上説明したように本実施形態によれば、ケーブル保護部材１２３は、シャーシ１１４に対してその板面と交差する方向に沿って押し込まれることで、シャーシ１１４に対して取り付けられるものとされる。このようにすれば、ケーブル保護部材１２３をシャーシ１１４に対してその板面と交差する方向に沿って押し込むと、フランジ部１２５と保持部１２６との間で孔部１１４ｅの孔縁が挟持されることで、ケーブル保護部材１２３をシャーシ１１４に対して取り付け状態に保持させることができる。ここで、上記した実施形態１のように、ケーブル保護部材２３をシャーシ１４の板面に沿う方向にスライドさせることでシャーシ１４に対して取り付けるようにした場合には、孔部１４ｅを保護部２４の外形よりも大きくする必要があるものの、本実施形態に係る構成によればそのような必要がなく、孔部１１４ｅを相対的に小さく保つことができるとともに光漏れ防止及び塵埃などの侵入防止に好適となる。
【００９２】
＜実施形態３＞
本発明の実施形態３を図２３または図２４によって説明する。この実施形態３では、上記した実施形態２から、シャーシ２１４に対するケーブル保護部材２２３の取付構造をさらに変更したものを示す。なお、上記した実施形態２と同様の構造、作用及び効果について重複する説明は省略する。
【００９３】
本実施形態に係るケーブル保護部材２２３が有する保持部２２６は、図２３及び図２４に示すように、フランジ部２２５に設けられた弾性片３４に設けられている。詳しくは、弾性片３４は、フランジ部２２５における両長辺側部分に一対ずつ設けられるとともに、フランジ部２２５からＺ軸方向に沿って表側に向けて突出する片持ち状をなしている。弾性片３４は、保護部２２４に対してＹ軸方向について所定の間隔を空けた位置に対向状に配されており、この保護部２２４との間に保有される空間が弾性片３４の弾性変形を許容する撓み空間ＦＳとなっている。保持部２２６は、弾性片３４におけるフランジ部２２５からの突出先端部における外面（保護部２２４と対向する内面とは反対側の面）に設けられており、弾性片３４からＹ軸方向に沿って外向きに突出する形態とされる。また、保持部２２６には、上記した実施形態２と同様の押し込みガイド面２３３が形成されている。これに対して、シャーシ２１４における孔部２１４ｅの孔縁には、上記した弾性片３４を通すための弾性片挿通孔３５が孔部２１４ｅに連なる形態で設けられている。弾性片挿通孔３５は、孔部２１４ｅの孔縁における両長辺側部分に一対ずつ、Ｘ軸方向について離間した位置にそれぞれ配されており、各弾性片３４と平面視重畳し得る配置とされている（図２４）。
【００９４】
ケーブル保護部材２２３をシャーシ２１４に取り付ける際には、保護部２２４を孔部２１４ｅに、各弾性片３４を各弾性片挿通孔３５に対してそれぞれ整合させるよう位置決めしつつ、ケーブル保護部材２２３をＺ軸方向に沿って表側へ向けて押し込むようにする。すると、各保持部２２６の押し込みガイド面２３３が孔部２１４ｅの孔縁に摺接されることで、各弾性片３４が保護部２２４側へ向けて押圧されるとともに、弾性変形されて撓み空間ＦＳ内に一旦退避される。そして、フランジ部２２５が孔部２１４ｅの孔縁に対して裏側から当接される深さまで押し込まれると、各保持部２２６が孔部２１４ｅを通り抜けて底板２１４ａの表側に達するとともに各弾性片３４が弾性復帰することで、各保持部２２６が孔部１１４ｅの孔縁に対して係合される。これにより、フランジ部２２５と各保持部２２６との間で孔部２１４ｅの孔縁が挟持され、もってケーブル保護部材２２３をシャーシ２１４に対して取り付け状態に保持することができる。なお、ケーブル保護部材２２３をシャーシ２１４から取り外す際には、各弾性片３４を工具などによって強制的に弾性変形させることで、各保持部２２６の孔部１１４ｅの孔縁に対する係合状態を解除しつつ、ケーブル保護部材２２３を裏側へ向けて引っ張ることで、取り外しを図ることができる。
【００９５】
以上説明したように本実施形態によれば、フランジ部２２５には、シャーシ２１４側に向けて突出するとともに弾性変形可能な弾性片３４が設けられており、この弾性片３４に保持部２２６が設けられている。このようにすれば、シャーシ２１４に対してケーブル保護部材２２３を着脱する際には、弾性片３４を弾性変形させることで、孔部２１４ｅに保持部２２６を通し易くなる。これにより、シャーシ２１４に対するケーブル保護部材２２３の着脱に係る作業性に優れる。
【００９６】
＜実施形態４＞
本発明の実施形態４を図２５または図２６によって説明する。この実施形態４では、上記した実施形態１から、ＬＥＤ基板３１８及びＬＥＤ駆動基板３２１に対するフラットケーブル３２２の接続態様、及びケーブル保護部材２２３の設置数を変更したものを示す。なお、上記した実施形態１と同様の構造、作用及び効果について重複する説明は省略する。
【００９７】
本実施形態では、図２５及び図２６に示すように、各ＬＥＤ基板群３１８Ｇ毎に２本ずつのフラットケーブル３２２が用いられており、それに対応してＬＥＤ基板群３１８Ｇを構成する２枚のＬＥＤ基板３１８には、異なるフラットケーブル３２２が差し込まれるコネクタ部３１８ａがそれぞれ設けられている。これに対応して、ＬＥＤ駆動基板３２１における両長辺側端部には、それぞれフラットケーブル３２２が差し込まれるコネクタ部３２１ａが一対ずつ、ＬＥＤ基板群３１８Ｇと同数がＸ軸方向に並んで設けられている。鉛直方向の上下に一対ずつ配されたフラットケーブル３２２及び各コネクタ部３１８ａ，３２１ａのうち、いずれか一方が入力側とされるのに対し、他方が出力側とされており、それにより各ＬＥＤ３１７に対して電力供給を図ることが可能とされる。さらには、シャーシ３１４の底板３１４ａにおける鉛直方向の上下両端部には、各フラットケーブル３２２を通すための孔部３１４ｅが一対ずつ、各ＬＥＤ基板群３１８Ｇ毎に形成されており、各孔部３１４ｅには、それぞれケーブル保護部材３２３が取り付けられている。各ケーブル保護部材３２３が有するフラットケーブル３２２の引き出し口３３２は、いずれも鉛直方向の斜め中央側を向いて開口している。
【００９８】
＜実施形態５＞
本発明の実施形態５を図２７または図２８によって説明する。この実施形態５では、上記した実施形態１から、ＬＥＤ基板４１８、フラットケーブル４２２及びＬＥＤ駆動基板４２１の配置などを変更したものを示す。なお、上記した実施形態１と同様の構造、作用及び効果について重複する説明は省略する。
【００９９】
本実施形態に係るＬＥＤ基板４１８は、図２７に示すように、平面に視て横長な方形状をなしており、長辺方向がＸ軸方向と一致し且つ短辺方向がＹ軸方向と一致している。ＬＥＤ基板４１８は、シャーシ４１４内においてＸ軸方向について３枚が並んで配されるとともに、それら３枚のＬＥＤ基板４１８が１つのＬＥＤ基板群４１８Ｇを構成している。ＬＥＤ基板群４１８Ｇを構成する各ＬＥＤ基板４１８は、隣り合うもの同士がコネクタ部４１８ａによって相互に接続されるとともに、最も端に位置するＬＥＤ基板４１８の端部に配されたコネクタ部４１８ａに対してフラットケーブル４２２の一端側が接続されている。ＬＥＤ基板群４１８Ｇは、Ｙ軸方向について３つが間欠的に並んで配されている。シャーシ４１４の底板４１４ａにおけるＸ軸方向の片側端部には、図２８に示すように、各フラットケーブル４２２を通すための孔部４１４ｅがＹ軸方向について各ＬＥＤ基板群４１８Ｇと同数（３つ）間欠的に並んで配されており、各孔部４１４ｅには、それぞれケーブル保護部材４２３が取り付けられている。フラットケーブル４２２は、Ｘ軸方向に沿って延在する形態とされている。ＬＥＤ駆動基板４２１は、平面に視て縦長な方形状をなしており、長辺方向がＹ軸方向と一致し且つ短辺方向がＸ軸方向と一致している。ＬＥＤ駆動基板４２１における一方の長辺側端部には、フラットケーブル４２１の他端側を接続可能なコネクタ部４２１ａがＹ軸方向について３つが間欠的に並んで設けられている。
【０１００】
＜実施形態６＞
本発明の実施形態６を図２９または図３０によって説明する。この実施形態６では、上記した実施形態１から、ＬＥＤ基板５１８にＬＥＤ５１７とは別体の拡散レンズ３６を設けるようにしたものを示す。なお、上記した実施形態１と同様の構造、作用及び効果について重複する説明は省略する。
【０１０１】
本実施形態に係るＬＥＤ基板５１８には、図２９及び図３０に示すように、各ＬＥＤ５１７の発光面側を覆う形となるよう拡散レンズ３６が各ＬＥＤ５１７毎に個別に設けられている。拡散レンズ３６は、ＬＥＤ５１７よりも径寸法が大きな略円板状をなしており、ＬＥＤ５１７に対して同心状に配されている。拡散レンズ３６における光出射面は、扁平な略半球状に形成されるとともにその中央に凹部が形成されており、その界面にてＬＥＤ５１７からの光を屈折させることで、光を拡散させつつ出射させることが可能とされている。また、反射シート５２０には、ＬＥＤ５１７と共に拡散レンズ３６を通す大きさのレンズ挿通孔が形成されている。
【０１０２】
＜他の実施形態＞
本発明は上記記述及び図面によって説明した実施形態に限定されるものではなく、例えば次のような実施形態も本発明の技術的範囲に含まれる。
（１）上記した各実施形態では、フラットケーブル保護部材がシャーシの外側から取り付けられるとともにフランジ部がシャーシの孔部の孔縁における外面に当接される構成のものを例示したが、フラットケーブル保護部材がシャーシの内側から取り付けるとともにフランジ部がシャーシの孔部の孔縁における内面に当接される構成としたものも本発明に含まれる。
【０１０３】
（２）上記した各実施形態では、ケーブル保護部材における押さえ部がフランジ部に形成した延出部に連なる形態で設けられたものを示したが、延出部を省略して押さえ部をフランジ部の本体部分に直接連ねる形態とすることも可能である。それ以外にも、押さえ部をフランジ部には連ねることなく、保護部に直接連ねて設けるようにすることも可能である。
【０１０４】
（３）上記した各実施形態では、ケーブル保護部材における押さえ部がフランジ部とは平面に視て重畳しない配置とされたものを示したが、押さえ部がフランジ部とは平面に視て重畳する配置とされ、フランジ部と押さえ部との間でフラットケーブルを挟持する構成としたものも本発明に含まれる。
【０１０５】
（４）上記した各実施形態では、ケーブル保護部材における押さえ部がフラットケーブルの幅方向の両側に位置して一対設けられたものを示したが、押さえ部をフラットケーブルの幅方向の片側に位置して１つのみ設けるようにしたものも本発明に含まれる。それ以外にも、例えば押さえ部がフランジ部における一対の延出部間を架橋する形態としたものも本発明に含まれる。
【０１０６】
（５）上記した各実施形態では、ケーブル保護部材におけるガイド部が保護部に連なる形態で設けられたものを示したが、ガイド部をフランジ部に連なる形態で設けるようにしたものも本発明に含まれる。
【０１０７】
（６）上記した各実施形態では、ケーブル保護部材におけるガイド部が保護部における長辺側部分のほぼ全長にわたって形成されたものを示したが、例えばガイド部を保護部における長辺側部分に複数、間欠的に設けるようにしたものや、保護部における長辺側部分の長さ寸法よりも短いガイド部を１つ設けるようにしたものも本発明に含まれる。また、ガイド部を保護部における長辺側部分に加えて短辺側部分にも設けるようにしても構わない。
【０１０８】
（７）上記した各実施形態では、ケーブル保護部材におけるフランジ部が取り付け状態においてシャーシの板面（外面）に当接されるものを示したが、フランジ部が取り付け状態においてシャーシの板面から離間して配される構成としたものも本発明に含まれる。
【０１０９】
（８）上記した実施形態１では、ケーブル保護部材が保護部の長さ方向（長辺方向）に沿ってスライドされる構成のものを示したが、ケーブル保護部材が保護部の幅方向（短辺方向）に沿ってスライドされる構成としたものも本発明に含まれる。
【０１１０】
（９）上記した実施形態１では、ケーブル保護部材が水平方向（Ｘ軸方向）に沿ってスライドされる構成のものを示したが、ケーブル保護部材が鉛直方向（Ｙ軸方向）に沿ってスライドされる構成としたものも本発明に含まれる。
【０１１１】
（１０）上記した実施形態１では、ケーブル保護部材における保持部が保護部の長辺側外面からスライド方向と直交する方向に向けて突出する形態とされたものを示したが、保持部が保護部の短辺側外面からスライド方向に沿って突出する形態としたものも本発明に含まれる。
【０１１２】
（１１）上記した実施形態１では、ケーブル保護部材におけるフランジ部の一部を片部とし、その片部に抜け止め部を設けるようにしたものを示したが、例えばフランジ部とは別途に片部を保護部に設けるようにし、その片部に抜け止め部を設けるようにしても構わない。
【０１１３】
（１２）上記した実施形態２，３では、ケーブル保護部材における保持部が保護部の長辺側外面から突出する形態とされたものを示したが、保持部が保護部の短辺側外面から突出する形態としたものも本発明に含まれる。
【０１１４】
（１３）上記した実施形態３では、ケーブル保護部材における弾性片がフランジ部に連なる形態とされたものを示したが、弾性片を保護部に連なる形態で設けるようにしたものも本発明に含まれる。また、保護部に切り欠きを形成するなどして、保護部の一部を弾性片とすることも可能である。
【０１１５】
（１４）上記した実施形態２，３に記載したケーブル保護部材の取付構造を、上記した実施形態４から実施形態６に適用することも可能である。また、上記した実施形態４に記載したフラットケーブルの接続構造を、上記した実施形態２，３及び実施形態５，６に適用することも可能である。また、上記した実施形態５に記載したＬＥＤ基板の配置を、上記した実施形態２から実施形態４または実施形態６に適用することも可能である。また、上記した実施形態６に記載したＬＥＤ基板の構成を、上記した実施形態２から実施形態５に適用することも可能である。
【０１１６】
（１５）上記した実施形態１では、Ｙ軸方向に並ぶ２枚のＬＥＤ基板によりＬＥＤ基板群が構成されるものを示したが、Ｙ軸方向に３枚以上のＬＥＤ基板を並べるとともにそれらのＬＥＤ基板によってＬＥＤ基板群を構成するようにしても構わない。また、Ｘ軸方向に並ぶＬＥＤ基板群の数については、６つ以外にも、５つ以下や７つ以上とすることも可能である。
【０１１７】
（１６）上記した実施形態５では、Ｘ軸方向に並ぶ３枚のＬＥＤ基板によりＬＥＤ基板群が構成されるものを示したが、Ｘ軸方向に２枚または４枚以上のＬＥＤ基板を並べるとともにそれらのＬＥＤ基板によってＬＥＤ基板群を構成するようにしても構わない。また、Ｙ軸方向に並ぶＬＥＤ基板群の数については、３つ以外にも、２つまたは４つ以上とすることも可能である。
【０１１８】
（１７）上記した各実施形態では、複数のＬＥＤ基板を相互に接続してなるＬＥＤ基板群に対して１つのフラットケーブルを接続したものを示したが、ＬＥＤ基板同士を接続せず、各ＬＥＤ基板に対して個別にフラットケーブルを接続するようにしても構わない。
【０１１９】
（１８）上記した各実施形態では、各ＬＥＤまたは各ＬＥＤ群の輝度を個別に制御する、いわゆるローカルディミング制御を行うバックライト装置について示したが、全てのＬＥＤを同一輝度にて駆動することも勿論可能である。
【０１２０】
（１９）上記した各実施形態以外にも、ＬＥＤ基板の大きさ、形状、設置枚数などは適宜に変更することができる。また、ＬＥＤ基板に実装するＬＥＤの数、配置などは適宜に変更することができる。
【０１２１】
（２０）上記した各実施形態では、フラットケーブルとしてＦＦＣを用いた場合を示したが、それ以外にも、ＦＰＣ（Flexible Printed Circuit）などのフレキシブルケーブルをフラットケーブルとして用いることも可能である。
【０１２２】
（２１）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１２３】
（２２）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１２４】
（２３）上記した各実施形態では、表示パネルとして液晶パネルを用いた液晶表示装置を例示したが、他の種類の表示パネルを用いた表示装置にも本発明は適用可能である。
【０１２５】
（２４）上記した各実施形態では、チューナーを備えたテレビ受信装置を例示したが、チューナーを備えない表示装置にも本発明は適用可能である。
【符号の説明】
【０１２６】
１０…液晶表示装置（表示装置）、１１…液晶パネル（表示パネル）、１２…バックライト装置（照明装置）、１４，１１４，２１４，３１４，４１４…シャーシ、１４ｅ，１１４ｅ，２１４ｅ，３１４ｅ…孔部、１４ｆ…保持部挿通孔、１７，３１７，５１７…ＬＥＤ（光源）、１８，３１８，４１８，５１８…ＬＥＤ基板（光源基板）、１８Ｇ，３１８Ｇ，４１８Ｇ…ＬＥＤ基板群（光源基板群）、２２，３２２，４２２…フラットケーブル（平形導体）、２２ｂ…導体部、２３，１２３，２２３，３２３，４２３…ケーブル保護部材（平形導体保護部材）、２４，１２４，２２４…保護部、２４ａ…挿通孔、２５，１２５，２２５…フランジ部、２６，１２６，２２６…保持部、２７…ガイド部、２８…押さえ部、２９…抜け止め部、３０…切り欠き、３１…片部、３２，３３２…引き出し口、３４…弾性片、ＴＶ…テレビ受信装置
【図１】
2012039348.tif 000003
【図２】
2012039348.tif 000004
【図３】
2012039348.tif 000005
【図４】
2012039348.tif 000006
【図５】
2012039348.tif 000007
【図６】
2012039348.tif 000008
【図７】
2012039348.tif 000009
【図８】
2012039348.tif 000010
【図９】
2012039348.tif 000011
【図１０】
2012039348.tif 000012
【図１１】
2012039348.tif 000013
【図１２】
2012039348.tif 000014
【図１３】
2012039348.tif 000015
【図１４】
2012039348.tif 000016
【図１５】
2012039348.tif 000017
【図１６】
2012039348.tif 000018
【図１７】
2012039348.tif 000019
【図１８】
2012039348.tif 000020
【図１９】
2012039348.tif 000021
【図２０】
2012039348.tif 000022
【図２１】
2012039348.tif 000023
【図２２】
2012039348.tif 000024
【図２３】
2012039348.tif 000025
【図２４】
2012039348.tif 000026
【図２５】
2012039348.tif 000027
【図２６】
2012039348.tif 000028
【図２７】
2012039348.tif 000029
【図２８】
2012039348.tif 000030
【図２９】
2012039348.tif 000031
【図３０】
2012039348.tif 000032
【手続補正書】
【提出日】平成25年3月7日(2013.3.7)
【手続補正１】
【補正対象書類名】特許請求の範囲
【補正対象項目名】全文
【補正方法】変更
【補正の内容】
【特許請求の範囲】
【請求項１】
光源と、
前記光源に接続された平形導体と、
前記光源を収容するとともに孔部を有するシャーシと、
前記孔部を貫く形で配され、前記平形導体を通す挿通孔が形成されるとともに前記平形導体と前記孔部との間に介在する保護部を有する平形導体保護部材とを備え、
前記平形導体保護部材には、前記平形導体のうち前記シャーシ外に配された部分を前記シャーシ側に押さえる押さえ部が設けられており、
前記保護部の外面には、前記シャーシにおける前記孔部の孔縁に対して対向状をなすフランジ部が張り出して設けられており、前記押さえ部は、前記フランジ部に連なる形態とされる照明装置。
【請求項２】
前記平形導体は、一方向に沿って延在する形態とされており、前記押さえ部は、前記平形導体における幅方向についての両側に位置して一対設けられている請求項１記載の照明装置。
【請求項３】
前記フランジ部は、前記孔部の孔縁に対して前記シャーシ外から当接されており、前記押さえ部は、前記フランジ部とは平面に視て重畳しない位置に配されている請求項１記載の照明装置。
【請求項４】
前記押さえ部は、前記フランジ部との間で前記平形導体を屈曲した状態で押さえるよう配されている請求項３記載の照明装置。
【請求項５】
前記平形導体保護部材には、前記シャーシ外において前記挿通孔と平面に視て重畳するよう配されるとともに、前記挿通孔を通して前記シャーシ外に引き出される前記平形導体に方向性を付与するガイド部が設けられている請求項１から請求項４のいずれか１項に記載の照明装置。
【請求項６】
前記ガイド部は、前記保護部に連なる形態で設けられるとともに、その内面が前記挿通孔の内面に連続している請求項５記載の照明装置。
【請求項７】
前記平形導体における引き出し方向は、鉛直方向に並行するものとされており、前記ガイド部は、前記挿通孔の孔縁と共に引き出し口を構成するとともにその引き出し口が前記鉛直方向の下側を向くよう形成されている請求項５または請求項６記載の照明装置。
【請求項８】
前記シャーシ内には、前記光源が複数実装された光源基板が収容されており、前記平形導体は、前記光源基板に接続されている請求項１から請求項７のいずれか１項に記載の照明装置。
【請求項９】
前記平形導体は、互いに並行する複数の導体部を有しており、複数の前記導体部には、異なる前記光源に接続されるものが含まれている請求項８記載の照明装置。
【請求項１０】
前記光源基板は、前記シャーシ内に複数が並んで配され、その複数の前記光源基板のうち、互いに電気的に接続されたものが１つの光源基板群を構成していて、その前記光源基板群を構成する少なくとも１つの前記光源基板に対して前記平形導体が接続されるものとされており、
前記平形導体は、互いに並行する複数の導体部を有しており、複数の前記導体部には、前記光源基板群を構成する第１の前記光源基板が有する前記光源に接続されるものと、第２の前記光源基板が有する前記光源に接続されるものとが少なくとも含まれている請求項８または請求項９記載の照明装置。
【請求項１１】
前記保護部の外面には、前記シャーシにおける前記孔部の孔縁に対して対向状をなすフランジ部が張り出して設けられている請求項１から請求項１０のいずれか１項に記載の照明装置。
【請求項１２】
前記フランジ部は、前記孔部の孔縁に対して前記シャーシ外から当接されている請求項１１記載の照明装置。
【請求項１３】
前記保護部の外面には、前記フランジ部との間で前記シャーシにおける前記孔部の孔縁を挟持可能な保持部が設けられている請求項１１または請求項１２記載の照明装置。
【請求項１４】
前記平形導体保護部材は、前記シャーシに対してその板面に沿う方向にスライドされることで、前記保持部が前記シャーシにおける前記孔部の孔縁から外れる非保持位置と、前記保持部が前記シャーシにおける前記孔部の孔縁に係合する保持位置とに選択的に配されるものとされる請求項１３記載の照明装置。
【請求項１５】
前記保持部は、前記保護部の外面から前記平形導体保護部材におけるスライド方向と交差する方向に向けて突出する形態とされており、
前記シャーシにおける前記孔部の孔縁には、前記孔部に連なるとともに前記非保持位置において前記保持部を通す保持部挿通孔が設けられている請求項１４記載の照明装置。
【請求項１６】
前記フランジ部には、前記非保持位置では前記孔部外に配されるものの、前記保持位置では前記孔部内に進入するとともにその内面に係止することで、前記平形導体保護部材が取り付けに伴うスライド方向とは逆方向に移動するのを規制する抜け止め部が設けられている請求項１４または請求項１５記載の照明装置。
【請求項１７】
前記フランジ部には、切り欠きが形成されることで、前記抜け止め部を有する片持ち状の片部が形成されている請求項１６記載の照明装置。
【請求項１８】
前記平形導体保護部材は、前記シャーシに対してその板面と交差する方向に沿って押し込まれることで、前記シャーシに対して取り付けられるものとされる請求項１３記載の照明装置。
【請求項１９】
前記フランジ部には、前記シャーシ側に向けて突出するとともに弾性変形可能な弾性片が設けられており、この弾性片に前記保持部が設けられている請求項１８記載の照明装置。
【請求項２０】
請求項１から請求項１９のいずれか１項に記載の照明装置と、前記照明装置からの光を利用して表示を行う表示パネルとを備える表示装置。
【請求項２１】
前記表示パネルは、一対の基板間に液晶を封入してなる液晶パネルとされる請求項２０記載の表示装置。
【請求項２２】
請求項２０または請求項２１に記載された表示装置を備えるテレビ受信装置。
【国際調査報告】
2012039348.tif 000033
2012039348.tif 000034